(57)【要約】端末スクリーン、スクリーン構造及びその制御方法、装置と端末を提供する。前記端末スクリーンは、基板及び基板の上層に位置する表示層を備え、表示層はメイン表示エリアと補助表示エリアを含み、メイン表示エリアと補助表示エリアは異なる画素分布形態を有し、補助表示エリアはｎ個のサブ画素シーケンスを含み、当該ｎ個のサブ画素シーケンスのうちのそれぞれ一つのサブ画素シーケンスに少なくとも二つのサブ画素を含み、且つ何れか一つのサブ画素シーケンスに含まれる各サブ画素の色が同一であり、補助表示エリアにおいて同一の配線を共有する同色のサブ画素が少なくとも二つが存在する。【選択図】図２
2021503613.tif 000002
【特許請求の範囲】
【請求項１】
基板及び前記基板の上層に位置する表示層を備え、
前記表示層は、メイン表示エリアと補助表示エリアとを含み、
前記メイン表示エリアと前記補助表示エリアは、異なる画素分布形態を有し、
前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在する、端末スクリーン。
【請求項２】
前記ｎは１よりも大きい整数であり、
前記ｎ個のサブ画素シーケンスは目標方向に沿って１個ずつ並べられる、請求項１に記載の端末スクリーン。
【請求項３】
前記目標方向は、縦方向又は横方向である、請求項２に記載の端末スクリーン。
【請求項４】
前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、
前記赤色のサブ画素シーケンス、前記緑色のサブ画素シーケンス及び前記青色のサブ画素シーケンスは、前記目標方向に沿って一つずつ交替に並べられる、請求項２に記載の端末スクリーン。
【請求項５】
前記ｎ個のサブ画素シーケンスのうちの少なくとも一つの前記サブ画素シーケンスに含まれる各前記サブ画素の中心点が同一の直線に位置する、請求項１に記載の端末スクリーン。
【請求項６】
前記ｎ個のサブ画素シーケンスのうちの少なくとも一つの前記サブ画素シーケンスに含まれる各前記サブ画素の中心点が同一の直線に位置しない、請求項１に記載の端末スクリーン。
【請求項７】
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、
前記ｉはｎ以下の正整数であり、前記ｋは正整数である、請求項６に記載の端末スクリーン。
【請求項８】
前記第一直線と前記第二直線の間の距離は、前記メイン表示エリアにおける二つの同色のサブ画素の中心点の間の距離に等しい、請求項７に記載の端末スクリーン。
【請求項９】
前記補助表示エリアにおけるサブ画素のサイズは、前記メイン表示エリアにおけるサブ画素のサイズよりも大きい、請求項１に記載の端末スクリーン。
【請求項１０】
前記補助表示エリアにおけるサブ画素の長さは前記メイン表示エリアにおけるサブ画素の長さよりも大きく、
及び／又は、
前記補助表示エリアにおけるサブ画素の幅は前記メイン表示エリアにおけるサブ画素の幅よりも大きい、請求項９に記載の端末スクリーン。
【請求項１１】
前記補助表示エリアにおける同色のサブ画素は同一の配線を共有する、請求項１に記載の端末スクリーン。
【請求項１２】
前記補助表示エリアに少なくとも二つのサブエリアが含まれ、それぞれのサブエリアにおける同色のサブ画素が同一の配線を共有する、請求項１に記載の端末スクリーン。
【請求項１３】
前記表示層には、前記メイン表示エリアと前記補助表示エリアの間に介在する過渡的表示エリアが更に含まれ、
前記過渡的表示エリアは、前記メイン表示エリア及び前記補助表示エリアと異なる画素分布形態を有する、請求項１に記載の端末スクリーン。
【請求項１４】
前記メイン表示エリア、前記補助表示エリア及び前記過渡的表示エリアは、それぞれ独立に制御して表示する、請求項１３に記載の端末スクリーン。
【請求項１５】
前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである、請求項１に記載の端末スクリーン。
【請求項１６】
基板及び前記基板の上層に位置する表示層を備え、
前記表示層は、メイン表示エリアと補助表示エリアとを含み、
前記補助表示エリアにおけるサブ画素のサイズは、前記メイン表示エリアにおけるサブ画素のサイズよりも大きい、端末スクリーン。
【請求項１７】
前記補助表示エリアにおけるサブ画素の長さは前記メイン表示エリアにおけるサブ画素の長さよりも大きく、
及び／又は、
前記補助表示エリアにおけるサブ画素の幅は前記メイン表示エリアにおけるサブ画素の幅よりも大きい、請求項１６に記載の端末スクリーン。
【請求項１８】
前記補助表示エリアにｎ（ｎが正整数である）個のサブ画素シーケンスが含まれ、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在する、請求項１６に記載の端末スクリーン。
【請求項１９】
前記ｎは１よりも大きい整数であり、
前記ｎ個のサブ画素シーケンスは、目標方向に沿って１個ずつ並べられる、請求項１８に記載の端末スクリーン。
【請求項２０】
前記目標方向は縦方向又は横方向である、請求項１９に記載の端末スクリーン。
【請求項２１】
前記ｎ個のサブ画素シーケンスは、少なくとも一つの赤色のサブ画素シーケンス、少なくとも一つの緑色のサブ画素シーケンス、及び少なくとも一つの青色のサブ画素シーケンスを含み、
前記赤色のサブ画素シーケンス、前記緑色のサブ画素シーケンス及び前記青色のサブ画素シーケンスは、前記目標方向に沿って一つずつ交替に並べられる、請求項１９に記載の端末スクリーン。
【請求項２２】
前記ｎ個のサブ画素シーケンスのうちの少なくとも一つの前記サブ画素シーケンスに含まれる各前記サブ画素の中心点が同一の直線に位置する、請求項１８に記載の端末スクリーン。
【請求項２３】
前記ｎ個のサブ画素シーケンスのうちの少なくとも一つの前記サブ画素シーケンスに含まれる各前記サブ画素の中心点が同一の直線に位置しない、請求項１８に記載の端末スクリーン。
【請求項２４】
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線は平行であり、
前記ｉはｎ以下の正整数であり、前記ｋは正整数である、請求項２３に記載の端末スクリーン。
【請求項２５】
前記第一直線と前記第二直線の間の距離は、前記メイン表示エリアにおける二つの同色のサブ画素の中心点の間の距離に等しい、請求項２４に記載の端末スクリーン。
【請求項２６】
前記補助表示エリアにおける同色のサブ画素は同一の配線を共有する、請求項１８に記載の端末スクリーン。
【請求項２７】
前記補助表示エリアに少なくとも二つのサブエリアが含まれ、それぞれのサブエリアにおける同色のサブ画素が同一の配線を共有する、請求項１８に記載の端末スクリーン。
【請求項２８】
前記表示層には、前記メイン表示エリアと前記補助表示エリアの間に介在する過渡的表示エリアが更に含まれ、
前記過渡的表示エリアは、前記メイン表示エリア及び前記補助表示エリアと異なる画素分布形態を有する、請求項１６に記載の端末スクリーン。
【請求項２９】
前記メイン表示エリア、前記補助表示エリア及び前記過渡的表示エリアは、それぞれ独立に制御して表示する、請求項２８に記載の端末スクリーン。
【請求項３０】
前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである、請求項１６に記載の端末スクリーン。
【請求項３１】
ｎ（ｎが正整数である）個のサブ画素シーケンスを備え、
前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
同一の配線を共有する同色のサブ画素が少なくとも二つが存在するスクリーン構造。
【請求項３２】
前記ｎは１よりも大きい整数であり、
前記ｎ個のサブ画素シーケンスは目標方向に沿って１個ずつ並べられる、請求項３１に記載のスクリーン構造。
【請求項３３】
前記目標方向は、縦方向又は横方向である、請求項３２に記載のスクリーン構造。
【請求項３４】
前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、
前記赤色のサブ画素シーケンス、前記緑色のサブ画素シーケンス及び前記青色のサブ画素シーケンスは、前記目標方向に沿って一つずつ交替に並べられる、請求項３２に記載のスクリーン構造。
【請求項３５】
前記ｎ個のサブ画素シーケンスのうちの少なくとも一つの前記サブ画素シーケンスに含まれる各前記サブ画素の中心点が同一の直線に位置する、請求項３１に記載のスクリーン構造。
【請求項３６】
前記ｎ個のサブ画素シーケンスのうちの少なくとも一つの前記サブ画素シーケンスに含まれる各前記サブ画素の中心点が同一の直線に位置しない、請求項３１に記載のスクリーン構造。
【請求項３７】
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、
前記ｉはｎ以下の正整数であり、前記ｋは正整数である、請求項３６に記載のスクリーン構造。
【請求項３８】
前記第一直線と前記第二直線の間の距離は、前記メイン表示エリアにおける二つの同色のサブ画素の中心点の間の距離に等しい、請求項３７に記載のスクリーン構造。
【請求項３９】
前記スクリーン構造における同色のサブ画素は同一の配線を共有する、請求項３１に記載のスクリーン構造。
【請求項４０】
少なくとも二つのサブエリアが含まれ、それぞれのサブエリアにおける同色のサブ画素が同一の配線を共有する、請求項３１に記載のスクリーン構造。
【請求項４１】
請求項１〜１５の何れか一つに記載の端末スクリーン、又は請求項１６〜３０の何れか一つに記載の端末スクリーンを備える端末。
【請求項４２】
端末スクリーンを備え、
前記端末スクリーンは、基板及び前記基板の上層に位置する表示層を備え、
前記表示層は、メイン表示エリアと補助表示エリアとを含み、
前記メイン表示エリアと前記補助表示エリアは、異なる画素分布形態を有し、
前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在し、
前記補助表示エリアの下に光学デバイスが設置される端末。
【請求項４３】
前記光学デバイスは、カメラ、光センサ、接近センサ、光発射機、受光機のうちの少なくとも一つを備える、請求項４２に記載の端末。
【請求項４４】
端末スクリーンを備え、
前記端末スクリーンは、基板及び前記基板の上層に位置する表示層を備え、
前記表示層は、メイン表示エリアと補助表示エリアとを含み、
前記補助表示エリアにおけるサブ画素のサイズは、前記メイン表示エリアにおけるサブ画素のサイズよりも大きく、
前記補助表示エリアの下に光学デバイスが設置される端末。
【請求項４５】
前記光学デバイスは、カメラ、光センサ、接近センサ、光発射機、受光機のうちの少なくとも一つを含む、請求項４４に記載の端末。
【請求項４６】
請求項１〜１５の何れか一つに記載の端末スクリーン、又は請求項１６〜３０の何れか一つに記載の端末スクリーンを制御するための方法であって、
前記メイン表示エリアへ第一同期信号を送信し、及び前記補助表示エリアへ第二同期信号を送信することを含み、前記第一同期信号と前記第二同期信号は、前記メイン表示エリアと前記補助表示エリアに同一の内容を同時に表示するように制御するためである、端末スクリーンの制御方法。
【請求項４７】
前記方法は、更に、
前記メイン表示エリアにおける表示すべき内容の原色のコンポーネント、及び前記補助表示エリアにおける表示すべき内容の原色のコンポーネントを取得し、
前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得し、
前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信することを含む、請求項４６に記載の方法。
【請求項４８】
前記方法は、更に、
前記メイン表示エリアと前記補助表示エリアにおける表示すべき内容に基づいて、前記メイン表示エリアと前記補助表示エリアの間の過渡的表示エリアの表示パラメータを確定し、
前記過渡的表示エリアへ前記表示パラメータを送信し、前記過渡的表示エリアは、前記表示パラメータに基づいて前記過渡的表示エリアの表示を制御することを含む、請求項４６に記載の方法。
【請求項４９】
請求項１〜１５の何れか一つに記載の端末スクリーン、又は請求項１６〜３０の何れか一つに記載の端末スクリーンを制御するように構成されており、
前記メイン表示エリアへ第一同期信号を送信し、前記補助表示エリアへ第二同期信号を送信するように構成される送信モジュールを備え、
前記第一同期信号と前記第二同期信号は、前記メイン表示エリアと前記補助表示エリアに同一の内容を同時に表示するように制御するためである、端末スクリーンの制御装置。
【請求項５０】
前記装置は、更に、
前記メイン表示エリアにおける表示すべき内容の原色のコンポーネント、及び前記補助表示エリアにおける表示すべき内容の原色のコンポーネントを取得するように構成される取得モジュールと、
前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得するように構成される補正モジュールと、を備え、
前記送信モジュールは、更に、前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信するように構成される、請求項４９に記載の装置。
【請求項５１】
前記装置は、更に、
前記メイン表示エリアと前記補助表示エリアにおける表示すべき内容に基づいて、前記メイン表示エリアと前記補助表示エリアの間の過渡的表示エリアの表示パラメータを確定するように構成される確定モジュールを備え、
前記送信モジュールは、更に前記過渡的表示エリアへ前記表示パラメータを送信するように構成され、前記過渡的表示エリアは、前記表示パラメータに基づいて前記過渡的表示エリアの表示を制御する、請求項４９に記載の装置。
【請求項５２】
請求項１〜１５の何れか一つに記載の端末スクリーン、又は請求項１６〜３０の何れか一つに記載の端末スクリーンを備え、
プロセッサと、
前記プロセッサの実行可能な指令を記憶するメモリと、を更に備え、
前記プロセッサは、前記メイン表示エリアへ第一同期信号を送信し、前記補助表示エリアへ第二同期信号を送信するように構成され、前記第一同期信号と前記第二同期信号は、前記メイン表示エリアと前記補助表示エリアに同一の内容を同時に表示するように制御するためである端末。
【請求項５３】
コンピュータプログラムが記憶されており、
前記コンピュータプログラムがプロセッサにより実行されると、請求項４６〜４８の何れか一つに記載の方法のステップを実現する、非揮発的なコンピュータ読取可能な記憶媒体。
【発明の詳細な説明】
【技術分野】
【０００１】
本願は、出願番号が２０１８１１２９００３４．３、出願日が２０１８年１０月３１日である中国特許出願に基づいて提出され、当該中国特許出願の優先権を主張する。当該中国特許出願の全ての内容は、参考として本願に組み込まれる。
【０００２】
本開示の実施例は、スクリーン技術分野に関し、特に端末スクリーン、スクリーン構造及びその制御方法、装置と端末に関する。
【背景技術】
【０００３】
携帯電話の業界において、画面占有率に対して益々高く求められており、ほぼ１００％の画面占有率を有する携帯電話の生産が望まれている。
【０００４】
携帯電話の画面占有率を向上させる難点は、如何に携帯電話のフロントパネルにおける機能デバイス（例えばカメラ、受話器、光センサ、距離センサ、指紋センサなどのデバイス）を合理に設置して画面占有率の向上を最大化するかにある。関連の技術において、前記の機能デバイスを携帯電話のスクリーンの下に設置する技術構想が提出された。前記機能デバイスを携帯電話のスクリーンの下に設置することにより、携帯電話のフロントパネルに対するこれらの機能デバイスの占用スペースを十分に解放し、画面占有率を向上させることができる。
【０００５】
しかし、作動の際に光を受け又は射出する必要がある光学デバイス（例えばカメラ、光センサ、赤外線送信機、赤外線受信機などのデバイス）にとって、これらの光学デバイスを携帯電話のスクリーンの下に設置すると、携帯電話のスクリーンの光透過性により、これらの光学デバイスの動作性能に影響を与え、ひいては通常の動作ができなくなる。
【発明の概要】
【発明が解決しようとする課題】
【０００６】
本開示の実施例は、端末スクリーン、スクリーン構造及びその制御方法、装置と端末を提供することにより、光学デバイスを端末スクリーンの下に設置すると、端末スクリーンの光透過性により、これらの光学デバイスの動作性能に影響を与え、ひいては通常の動作ができなくなる課題を解決可能である。前記技術案は以下のようになる。
【課題を解決するための手段】
【０００７】
本開示の実施例の第一様態によれば、基板及び前記基板の上層に位置する表示層を備え、前記表示層は、メイン表示エリアと補助表示エリアとを含み、前記メイン表示エリアと前記補助表示エリアは、異なる画素分布形態を有し、前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、前記補助表示エリアにおいて、同一の配線を共有する同色のサブ画素が少なくとも二つが存在する端末スクリーンを提供した。
【０００８】
選択的に、前記ｎは１よりも大きい整数であり、前記ｎ個のサブ画素シーケンスは目標方向に沿って１個ずつ並べられる。
【０００９】
選択的に、前記目標方向は、縦方向又は横方向である。
【００１０】
選択的に、前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、前記赤色のサブ画素シーケンス、前記緑色のサブ画素シーケンス及び前記青色のサブ画素シーケンスは、前記目標方向に沿って一つずつ交替に並べられる。
【００１１】
選択的に、前記ｎ個のサブ画素シーケンスのうちの少なくとも一つの前記サブ画素シーケンスに含まれる各前記サブ画素の中心点が同一の直線に位置する。
【００１２】
選択的に、前記ｎ個のサブ画素シーケンスのうちの少なくとも一つの前記サブ画素シーケンスに含まれる各前記サブ画素の中心点が同一の直線に位置しない。
【００１３】
選択的に、前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、前記ｉはｎ以下の正整数であり、前記ｋは正整数である。
【００１４】
選択的に、前記第一直線と前記第二直線の間の距離は、前記メイン表示エリアにおける二つの同色のサブ画素の中心点の間の距離に等しい。
【００１５】
選択的に、前記補助表示エリアにおけるサブ画素のサイズは、前記メイン表示エリアにおけるサブ画素のサイズよりも大きい。
【００１６】
選択的に、前記補助表示エリアにおけるサブ画素の長さは前記メイン表示エリアにおけるサブ画素の長さよりも大きく、及び／又は、前記補助表示エリアにおけるサブ画素の幅は前記メイン表示エリアにおけるサブ画素の幅よりも大きい。
【００１７】
選択的に、前記補助表示エリアにおける同色のサブ画素は同一の配線を共有する。
【００１８】
選択的に、前記補助表示エリアに少なくとも二つのサブエリアが含まれ、それぞれのサブエリアにおける同色のサブ画素が同一の配線を共有する。
【００１９】
選択的に、前記表示層には、前記メイン表示エリアと前記補助表示エリアの間に介在する過渡的表示エリアが更に含まれ、前記過渡的表示エリアは、前記メイン表示エリア及び前記補助表示エリアと異なる画素分布形態を有する。
【００２０】
選択的に、前記メイン表示エリア、前記補助表示エリア及び前記過渡的表示エリアは、それぞれ独立に制御して表示する。
【００２１】
選択的に、前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである。
【００２２】
本開示の実施例の第二様態によれば、基板及び前記基板の上層に位置する表示層を備え、前記表示層は、メイン表示エリアと補助表示エリアとを含み、前記補助表示エリアにおけるサブ画素のサイズは、前記メイン表示エリアにおけるサブ画素のサイズよりも大きい端末スクリーンを提供した。
【００２３】
選択的に、前記補助表示エリアにおけるサブ画素の長さは前記メイン表示エリアにおけるサブ画素の長さよりも大きく、及び／又は、前記補助表示エリアにおけるサブ画素の幅は前記メイン表示エリアにおけるサブ画素の幅よりも大きい。
【００２４】
選択的に、前記補助表示エリアにｎ（ｎが正整数である）個のサブ画素シーケンスが含まれ、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、前記補助表示エリアにおいて、同一の配線を共有する同色のサブ画素が少なくとも二つが存在する。
【００２５】
選択的に、前記ｎは１よりも大きい整数であり、前記ｎ個のサブ画素シーケンスは、目標方向に沿って１個ずつ並べられる。
【００２６】
選択的に、前記目標方向は縦方向又は横方向である。
【００２７】
選択的に、前記ｎ個のサブ画素シーケンスは、少なくとも一つの赤色のサブ画素シーケンス、少なくとも一つの緑色のサブ画素シーケンス、及び少なくとも一つの青色のサブ画素シーケンスを含み、前記赤色のサブ画素シーケンス、前記緑色のサブ画素シーケンス及び前記青色のサブ画素シーケンスは、前記目標方向に沿って一つずつ交替に並べられる。
【００２８】
選択的に、前記ｎ個のサブ画素シーケンスのうちの少なくとも一つの前記サブ画素シーケンスに含まれる各前記サブ画素の中心点が同一の直線に位置する。
【００２９】
選択的に、前記ｎ個のサブ画素シーケンスのうちの少なくとも一つの前記サブ画素シーケンスに含まれる各前記サブ画素の中心点が同一の直線に位置しない。
【００３０】
選択的に、前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線は平行であり、前記ｉはｎ以下の正整数であり、前記ｋは正整数である。
【００３１】
選択的に、前記第一直線と前記第二直線の間の距離は、前記メイン表示エリアにおける二つの同色のサブ画素の中心点の間の距離に等しい。
【００３２】
選択的に、前記補助表示エリアにおける同色のサブ画素は同一の配線を共有する。
【００３３】
選択的に、前記補助表示エリアに少なくとも二つのサブエリアが含まれ、それぞれのサブエリアにおける同色のサブ画素が同一の配線を共有する。
【００３４】
選択的に、前記表示層には、前記メイン表示エリアと前記補助表示エリアの間に介在する過渡的表示エリアが更に含まれ、前記過渡的表示エリアは、前記メイン表示エリア及び前記補助表示エリアと異なる画素分布形態を有する。
【００３５】
選択的に、前記メイン表示エリア、前記補助表示エリア及び前記過渡的表示エリアは、それぞれ独立に制御して表示する。
【００３６】
選択的に、前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである。
【００３７】
本開示の実施例の第三様態によれば、ｎ（ｎが正整数である）個のサブ画素シーケンスを備え、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、同一の配線を共有する同色のサブ画素が少なくとも二つが存在するスクリーン構造を提供した。
【００３８】
選択的に、前記ｎは１よりも大きい整数であり、前記ｎ個のサブ画素シーケンスは目標方向に沿って１個ずつ並べられる。
【００３９】
選択的に、前記目標方向は、縦方向又は横方向である。
【００４０】
選択的に、前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、前記赤色のサブ画素シーケンス、前記緑色のサブ画素シーケンス及び前記青色のサブ画素シーケンスは、前記目標方向に沿って一つずつ交替に並べられる。
【００４１】
選択的に、前記ｎ個のサブ画素シーケンスのうちの少なくとも一つの前記サブ画素シーケンスに含まれる各前記サブ画素の中心点が同一の直線に位置する。
【００４２】
選択的に、前記ｎ個のサブ画素シーケンスのうちの少なくとも一つの前記サブ画素シーケンスに含まれる各前記サブ画素の中心点が同一の直線に位置しない。
【００４３】
選択的に、前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、前記ｉはｎ以下の正整数であり、前記ｋは正整数である。
【００４４】
選択的に、前記第一直線と前記第二直線の間の距離は、前記メイン表示エリアにおける二つの同色のサブ画素の中心点の間の距離に等しい。
【００４５】
選択的に、前記スクリーン構造における同色のサブ画素は同一の配線を共有する。
【００４６】
選択的に、少なくとも二つのサブエリアが含まれ、それぞれのサブエリアにおける同色のサブ画素が同一の配線を共有する。
【００４７】
本開示の実施例の第四様態によれば、第一様態に記載の端末スクリーン、又は第二様態に記載の端末スクリーンを備える端末を提供した。
【００４８】
本開示の実施例の第五様態によれば、端末スクリーンを備え、前記端末スクリーンは、基板及び前記基板の上層に位置する表示層を備え、前記表示層は、メイン表示エリアと補助表示エリアとを含み、前記メイン表示エリアと前記補助表示エリアは、異なる画素分布形態を有し、前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、前記補助表示エリアにおいて、同一の配線を共有する同色のサブ画素が少なくとも二つが存在し、前記補助表示エリアの下に光学デバイスが設置される端末を提供した。
【００４９】
選択的に、前記光学デバイスは、カメラ、光センサ、接近センサ、光発射機、受光機のうちの少なくとも一つを備える。
【００５０】
本開示の実施例の第六様態によれば、端末スクリーンを備え、前記端末スクリーンは、基板及び前記基板の上層に位置する表示層を備え、前記表示層は、メイン表示エリアと補助表示エリアとを含み、前記補助表示エリアにおけるサブ画素のサイズは、前記メイン表示エリアにおけるサブ画素のサイズよりも大きく、前記補助表示エリアの下に光学デバイスが設置される端末を提供した。
【００５１】
選択的に、前記光学デバイスは、カメラ、光センサ、接近センサ、光発射機、受光機のうちの少なくとも一つを含む。
【００５２】
本開示の実施例の第七様態によれば、第一様態又は第二様態に記載の端末スクリーンを制御するための方法であって、前記メイン表示エリアへ第一同期信号を送信し、及び前記補助表示エリアへ第二同期信号を送信することを含み、前記第一同期信号と前記第二同期信号は、前記メイン表示エリアと前記補助表示エリアに同一の内容を同時に表示するように制御するためである、端末スクリーンの制御方法を提供した。
【００５３】
選択的に、前記方法は、更に、前記メイン表示エリアにおける表示すべき内容の原色のコンポーネント、及び前記補助表示エリアにおける表示すべき内容の原色のコンポーネントを取得し、前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得し、前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信することを含む。
【００５４】
選択的に、前記方法は、更に、前記メイン表示エリアと前記補助表示エリアにおける表示すべき内容に基づいて、前記メイン表示エリアと前記補助表示エリアの間の過渡的表示エリアの表示パラメータを確定し、前記過渡的表示エリアへ前記表示パラメータを送信し、前記過渡的表示エリアは、前記表示パラメータに基づいて前記過渡的表示エリアの表示を制御することを含む。
【００５５】
本開示の実施例の第八様態によれば、第一様態又は第二様態に記載の端末スクリーンを制御するように構成されており、前記メイン表示エリアへ第一同期信号を送信し、前記補助表示エリアへ第二同期信号を送信するように構成される送信モジュールを備え、前記第一同期信号と前記第二同期信号は、前記メイン表示エリアと前記補助表示エリアに同一の内容を同時に表示するように制御するためである、端末スクリーンの制御装置を提供した。
【００５６】
選択的に、前記装置は、更に、前記メイン表示エリアにおける表示すべき内容の原色のコンポーネント、及び前記補助表示エリアにおける表示すべき内容の原色のコンポーネントを取得するように構成される取得モジュールと、前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得するように構成される補正モジュールと、を備え、前記送信モジュールは、更に、前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信するように構成される。
【００５７】
選択的に、前記装置は、更に、前記メイン表示エリアと前記補助表示エリアにおける表示すべき内容に基づいて、前記メイン表示エリアと前記補助表示エリアの間の過渡的表示エリアの表示パラメータを確定するように構成される確定モジュールを備え、前記送信モジュールは、更に前記過渡的表示エリアへ前記表示パラメータを送信するように構成され、前記過渡的表示エリアは、前記表示パラメータに基づいて前記過渡的表示エリアの表示を制御する。
【００５８】
本開示の実施例の第九様態によれば、第一様態又は第二様態に記載の端末スクリーンを備え、プロセッサと、前記プロセッサの実行可能な指令を記憶するメモリと、を更に備え、前記プロセッサは、前記メイン表示エリアへ第一同期信号を送信し、前記補助表示エリアへ第二同期信号を送信するように構成され、前記第一同期信号と前記第二同期信号は、前記メイン表示エリアと前記補助表示エリアに同一の内容を同時に表示するように制御するためである端末を提供した。
【００５９】
本開示の実施例の第十様態によれば、コンピュータプログラムが記憶されており、前記コンピュータプログラムがプロセッサにより実行されると、第七様態に記載の方法のステップを実現する、非揮発的なコンピュータ読取可能な記憶媒体を提供した。
【００６０】
本開示の実施例により提供される技術案は、以下のような有益な効果を含むことができる。
【００６１】
基板に一体化された表示層を形成し、製造プロセスにより当該表示層をメイン表示エリアと補助表示エリアに分け、メイン表示エリアと補助表示エリアは異なる画素分布形態を有し、補助表示エリアに少なくとも一つのサブ画素シーケンスが含まれ、当該少なくとも一つのサブ画素シーケンスのうちのそれぞれ一つのサブ画素シーケンスに少なくとも二つのサブ画素が含まれ、何れか一つのサブ画素シーケンスに含まれる各サブ画素の色が同一である。補助表示エリアにおいて、同一の配線を共有する同色のサブ画素が少なくとも二つが存在するため、補助表示エリアにおける配線の数が減少し、配線のレイアウトが最適化されることにより、補助表示エリアにおける保持容量、ＴＦＴ（Ｔｈｉｎ  Ｆｉｌｍ  Ｔｒａｎｓｉｓｔｏｒ、薄膜トランジスタ）のようなデバイスの数が低減され、補助表示エリアの光透過率を向上した。これにより、補助表示エリアの下にカメラ、光センサ、接近センサ、光発射機、受光機等のような光学デバイスを設置し、且つこれらの光学デバイスの正常の動作を確保することができ、前記光学デバイスの動作性能を最大限に確保可能である。
【００６２】
理解すべきなのは、前記の通常的な説明及び下記の詳細な説明は、例示的で解釈的なものに過ぎず、本開示を制限するものではない。
【図面の簡単な説明】
【００６３】
ここでの図面は、明細書に組み込まれて明細書の一部と構造され、本開示に該当する実施例を示し、明細書と共に本開示の原理を解釈する。
【図１】例示的な実施例により示される端末スクリーンの模式図である。
【図２】（図２）〜（図９）複数種の表示層を例示的に示した模式図である。
【図３】（図２）〜（図９）複数種の表示層を例示的に示した模式図である。
【図４】（図２）〜（図９）複数種の表示層を例示的に示した模式図である。
【図５】（図２）〜（図９）複数種の表示層を例示的に示した模式図である。
【図６】（図２）〜（図９）複数種の表示層を例示的に示した模式図である。
【図７】（図２）〜（図９）複数種の表示層を例示的に示した模式図である。
【図８】（図２）〜（図９）複数種の表示層を例示的に示した模式図である。
【図９】（図２）〜（図９）複数種の表示層を例示的に示した模式図である。
【図１０】遷移表示層を例示的に示した模式図である。
【図１１】例示的な実施例により示されたスクリーン構造の模式図である。
【図１２】例示的な実施例により示された端末の模式図である。
【図１３】例示的な実施例により示された端末スクリーンの制御装置のブロック図である。
【図１４】例示的な実施例により示された端末の構造のブロック図である。
【発明を実施するための形態】
【００６４】
ここで例示的な実施例を詳しく説明する。その例示は図面に示される。以下の説明において、図面に係る場合に、特別の指示がない限り、異なる図面における同じ数字は、同一又は類似の要素を示す。以下の例示的な実施例に説明される実施形態は、本開示の実施例に一致する全ての実施形態を示すわけではない。むしろ、それらは添付の特許請求の範囲に詳しく説明された、本開示の実施例の幾つかの様態に一致する装置及び方法の例に過ぎない。
【００６５】
図１は、例示的な実施例により示された端末スクリーンの模式図である。図１に示されたように、当該端末スクリーンは、基板１０及び基板１０の上層に位置する表示層２０を備えても良い。
【００６６】
表示層２０は、端末スクリーンの表示機能を実現する。本開示の実施例において、表示層２０は、メイン表示エリア２１と補助表示エリア２２とを含む。メイン表示エリア２１と補助表示エリア２２は何れも表示機能を備える。補助表示エリア２２の数は、一つであっても良く、複数であっても良い。図１において、補助表示エリア２２の数を一つにして例示的に説明する。
【００６７】
本開示の実施例において、表示層２０は、メイン表示エリア２１と補助表示エリア２２のようなタイプが異なる二つの表示エリアを含むが、メイン表示エリア２１と補助表示エリア２２は物理的な構造として一体化される。つまり、表示層２０は、一体化される構造であり、複数の互いに独立な構造部分に分割されていない。
【００６８】
表示層２０に複数の互いに独立な構造部分が含まれ、且つこれらの構造部分を繋いで表示層２０を形成すれば、繋ぎ箇所に必ずある程度の隙間が存在するため、最終的に各構造部分の表示内容の間に隙間があり、全体として表示層２０の表示内容が隙間なく一体になる表示効果を達成することができない。
【００６９】
しかし、本開示の実施例において、メイン表示エリア２１と補助表示エリア２２は、物理的な構造として一体化され、両者の間に隙間が存在していないため、メイン表示エリア２１における表示内容と補助表示エリア２２における表示内容との間にも隙間がなくなり、全体として表示層２０の表示内容が隙間なく一体になる表示効果を達成した。
【００７０】
メイン表示エリア２１に複数の画素が含まれても良く、補助表示エリア２２に一つ又は複数の画素が含まれても良い。通常の場合に、一つの画素にＲ（赤色）、Ｇ（緑色）及びＢ（青色）のような、色の異なる三種類のサブ画素が含まれ、即ち一つの画素に少なくとも一つの赤色のサブ画素、少なくとも一つの緑色のサブ画素及び少なくとも一つの青色のサブ画素が含まれる。勿論、幾つかの他の実現可能な実施例において、一つの画素に一種類の色のサブ画素のみが含まれても良く、例えば、一つの画素にＲ、Ｇ、Ｂのうち何れか一つの色のサブ画素のみが含まれる。或いは、一つの画素に二種類の色のサブ画素のみが含まれても良く、例えば一つの画素にＲ、Ｇ、Ｂのうち任意の二種類の色のサブ画素のみが含まれる。或いは、一つの画素には、少なくとも一つの赤色のサブ画素、少なくとも一つの緑色のサブ画素及び少なくとも一つの青色のサブ画素に加え、更に少なくとも一つの他の色のサブ画素、例えば少なくとも一つの白色のサブ画素が含まれる。一つの画素に含まれるサブ画素の色及び数は、本開示に限定されていない。
【００７１】
本開示の実施例において、メイン表示エリア２１と補助表示エリア２２は異なる画素分布形態を有する。前記画素分布形態は、サブ画素の分布形態を指す。前記画素分布形態には、画素サイズ、画素並べ方式、画素分布密度のうちの一種又は複数種の組み合わせを含むが、それらに限定されない。なお、メイン表示エリア２１と補助表示エリア２２は異なる画素サイズを有することは、メイン表示エリア２１におけるサブ画素のサイズと補助表示エリア２２におけるサブ画素のサイズが異なると意味する。例えば補助表示エリア２２におけるサブ画素のサイズがメイン表示エリア２１におけるサブ画素のサイズよりも大きい。メイン表示エリア２１と補助表示エリア２２は異なる画素並べ方式を有することは、メイン表示エリア２１におけるサブ画素の並べ方式と補助表示エリア２２におけるサブ画素の並べ方式が異なると意味する。例えばメイン表示エリア２１におけるサブ画素の並べ方式がＤｅｌｔａ配列であり、補助表示エリア２２におけるサブ画素の並べ方式が標準ＲＧＢ配列である。メイン表示エリア２１と補助表示エリア２２は異なる画素分布密度を有することは、メイン表示エリア２１におけるサブ画素の分布密度と補助表示エリア２２におけるサブ画素の分布密度が異なると意味する。例えばメイン表示エリア２１におけるサブ画素の分布密度は、補助表示エリア２２におけるサブ画素の分布密度よりも大きい。
【００７２】
図２に示されたように、補助表示エリア２２にはｎ個のサブ画素シーケンス２３が含まれる。当該ｎ個のサブ画素シーケンス２３のうちのそれぞれ一つのサブ画素シーケンスに少なくとも二つのサブ画素２４が含まれ、且つ何れか一つのサブ画素シーケンス２３に含まれる各サブ画素２４の色が同一であり、ｎが正整数である。サブ画素２４の色に一般的にＲ、Ｇ及びＢのような三種類の色が含まれるため、前記ｎ個のサブ画素シーケンス２３のうちの何れか一つのサブ画素シーケンス２３が赤色のサブ画素シーケンスであっても良く、緑色のサブ画素シーケンスであっても良く、青色のサブ画素シーケンスであっても良い。なお、赤色のサブ画素シーケンスは、含まれている各サブ画素の色が何れも赤色のサブ画素シーケンスであり、緑色のサブ画素シーケンスは、含まれている各サブ画素の色が何れも緑色のサブ画素シーケンスであり、青色のサブ画素シーケンスは、含まれている各サブ画素の色が何れも青色のサブ画素シーケンスである。
【００７３】
本開示の実施例において、補助表示エリア２２において同一の配線を共有する同色のサブ画素が少なくとも二つが存在する。例えば、図２に示されたサブ画素Ａ、サブ画素Ｂ及びサブ画素Ｃは同色である。例えば、この三つのサブ画素は、何れも赤色のサブ画素であっても良く、何れも緑色のサブ画素であっても良く、何れも青色のサブ画素であっても良い。且つ、この三つのサブ画素は同一の配線を共有する。本開示の実施例において、配線はサブ画素の表示を制御するための電源線及び／又は信号線である。なお、電源線はサブ画素に電圧を提供し、信号線はサブ画素に輝度又は階層などの画素値のような制御信号を提供する。信号線はデータ線とも呼ばれる。
【００７４】
以上より、本開示の実施例により提供された技術案において、基板に一体化された表示層を形成し、製造プロセスにより当該表示層をメイン表示エリアと補助表示エリアに分け、メイン表示エリアと補助表示エリアは異なる画素分布形態を有し、補助表示エリアに少なくとも一つのサブ画素シーケンスが含まれ、当該少なくとも一つのサブ画素シーケンスのうちのそれぞれ一つのサブ画素シーケンスに少なくとも二つのサブ画素が含まれ、何れか一つのサブ画素シーケンスに含まれる各サブ画素の色が同一である。補助表示エリアにおいて、同一の配線を共有する同色のサブ画素が少なくとも二つが存在するため、補助表示エリアにおける配線の数が減少し、配線のレイアウトが最適化されることにより、補助表示エリアにおける保持容量、ＴＦＴのようなデバイスの数が低減され、補助表示エリアの光透過率を向上した。これにより、補助表示エリアの下にカメラ、光センサ、接近センサ、光発射機、受光機等のような光学デバイスを設置し、且つこれらの光学デバイスの正常の動作を確保することができ、前記光学デバイスの動作性能を最大限に確保可能である。
【００７５】
本開示の他の例示的な実施例は、更に端末スクリーンを提供した。図１に示されたように、当該端末スクリーンは、基板１０及び基板１０の上層に位置する表示層２０を備えても良い。
【００７６】
表示層２０は、端末スクリーンの表示機能を実現する。本開示の実施例において、表示層２０は、メイン表示エリア２１と補助表示エリア２２とを含む。メイン表示エリア２１と補助表示エリア２２は何れも表示機能を備える。補助表示エリア２２の数は、一つであっても良く、複数であっても良い。図１において、補助表示エリア２２の数を一つにして例示的に説明する。
【００７７】
本開示の実施例において、表示層２０は、メイン表示エリア２１と補助表示エリア２２のようなタイプが異なる二つの表示エリアを含むが、メイン表示エリア２１と補助表示エリア２２は物理的な構造として一体化される。つまり、表示層２０は、一体化される構造であり、複数の互いに独立な構造部分に分割されていない。
【００７８】
表示層２０に複数の互いに独立な構造部分が含まれ、且つこれらの構造部分を繋いで表示層２０を形成すれば、繋ぎ箇所に必ずある程度の隙間が存在するため、最終的に各構造部分の表示内容の間に隙間があり、全体として表示層２０の表示内容が隙間なく一体になる表示効果を達成することができない。
【００７９】
しかし、本開示の実施例において、メイン表示エリア２１と補助表示エリア２２は、物理的な構造として一体化され、両者の間に隙間が存在していないため、メイン表示エリア２１における表示内容と補助表示エリア２２における表示内容との間にも隙間がなくなり、全体として表示層２０の表示内容が隙間なく一体になる表示効果を達成した。
【００８０】
メイン表示エリア２１に複数の画素が含まれても良く、補助表示エリア２２に一つ又は複数の画素が含まれても良い。通常の場合に、一つの画素にＲ（赤色）、Ｇ（緑色）及びＢ（青色）のような、色の異なる三種類のサブ画素が含まれ、即ち一つの画素に少なくとも一つの赤色のサブ画素、少なくとも一つの緑色のサブ画素及び少なくとも一つの青色のサブ画素が含まれる。勿論、幾つかの他の実現可能な実施例において、一つの画素に一種類の色のサブ画素のみが含まれても良く、例えば、一つの画素にＲ、Ｇ、Ｂのうち何れか一つの色のサブ画素のみが含まれる。或いは、一つの画素に二種類の色のサブ画素のみが含まれても良く、例えば一つの画素にＲ、Ｇ、Ｂのうち任意の二種類の色のサブ画素のみが含まれる。或いは、一つの画素には、少なくとも一つの赤色のサブ画素、少なくとも一つの緑色のサブ画素及び少なくとも一つの青色のサブ画素に加え、更に少なくとも一つの他の色のサブ画素、例えば少なくとも一つの白色のサブ画素が含まれる。一つの画素に含まれるサブ画素の色及び数は、本開示に限定されていない。
【００８１】
本開示の実施例において、図３に示されたように、補助表示エリア２２におけるサブ画素２４のサイズは、メイン表示エリア２１におけるサブ画素２１ａのサイズよりも大きい。例えば、補助表示エリア２２におけるサブ画素２４の長さはメイン表示エリア２１におけるサブ画素２１ａの長さよりも大きく、及び／又は、補助表示エリア２２におけるサブ画素２４の幅はメイン表示エリア２１におけるサブ画素２１ａの幅よりも大きい。なお、サブ画素は、横方向における辺の長さが当該サブ画素の長さであり、縦方向における辺の長さが当該サブ画素の幅である。
【００８２】
一つの例示において、補助表示エリア２２におけるサブ画素２４の長さがメイン表示エリア２１におけるサブ画素２１ａの長さと同じであり、且つ補助表示エリア２２におけるサブ画素２４の幅がメイン表示エリア２１におけるサブ画素２１ａの幅よりも大きい。例えば、補助表示エリア２２におけるサブ画素２４の幅は、メイン表示エリア２１におけるサブ画素２１ａの幅の２倍、２．５倍、３倍、４倍などであっても良く、本開示の実施例に限定されない。
【００８３】
他の例示において、補助表示エリア２２におけるサブ画素２４の幅がメイン表示エリア２１におけるサブ画素２１ａの幅と同じであり、且つ補助表示エリア２２におけるサブ画素２４の長さがメイン表示エリア２１におけるサブ画素２１ａの長さよりも大きい。例えば、補助表示エリア２２におけるサブ画素２４の長さは、メイン表示エリア２１におけるサブ画素２１ａの長さの２倍、２．５倍、３倍、４倍などであっても良く、本開示の実施例に限定されない。
【００８４】
もう一つの例示において、補助表示エリア２２におけるサブ画素２４の幅がメイン表示エリア２１におけるサブ画素２１ａの幅よりも大きく、且つ補助表示エリア２２におけるサブ画素２４の長さもメイン表示エリア２１におけるサブ画素２１ａの長さよりも大きい。例えば、補助表示エリア２２におけるサブ画素２４の幅はメイン表示エリア２１におけるサブ画素２１ａの幅の２倍、２．５倍、３倍、４倍などであっても良く、補助表示エリア２２におけるサブ画素２４の長さはメイン表示エリア２１におけるサブ画素２１ａの長さの２倍、２．５倍、３倍、４倍などであっても良く、本開示の実施例に限定されない。
【００８５】
補助表示エリア２２におけるサブ画素のサイズがメイン表示エリア２１におけるサブ画素のサイズよりも大きいため、補助表示エリア２２における画素分布密度がメイン表示エリア２１における画素分布密度よりも小さくなる。これにより、補助表示エリア２２における配線数を可能な限りに減少し、配線レイアウトを最適化すると共に、画素同士の間のＰＤＬ（Ｐｉｘｅｌ  Ｄｅｌｉｎｅａｔｉｏｎ  Ｌａｙｅｒ、画素定義層）を可能な限りに規則的で大きな塊の形状にし、補助表示エリア２２における光通過領域（サブ画素とＰＤＬにより占有される領域を含む）により良い光透過性能、及びより高い反射率と屈折率を実現することができる。これにより、補助表示エリア２２の下に例えばカメラ、光センサ、接近センサ、光発射機、受光機などのような光学デバイスを設置し、これらの光学デバイスの正常動作を確保することができる。
【００８６】
また、本開示の実施例において、補助表示エリア２２におけるサブ画素のサイズがメイン表示エリア２１におけるサブ画素のサイズよりも大きいが、実際の製品において補助表示エリア２２の全端末スクリーンに対する面積の比率が極めて小さいことを考慮した上で、補助表示エリア２２及び補助表示エリア２２の周囲に位置するメイン表示エリア２１における一部の領域に一般的に単一色のみが表示されれば良いので、全体として端末スクリーンの表示効果に基本的に影響が与えられていない。
【００８７】
また、本開示の実施例において、補助表示エリア２２におけるサブ画素のそれぞれのサイズがメイン表示エリア２１におけるサブ画素のサイズよりも大きい必要であることに限定されていない。補助表示エリア２２において、サイズがメイン表示エリア２１におけるサブ画素のサイズと同じか、ひいてはメイン表示エリア２１におけるサブ画素のサイズよりも小さいサブ画素は個別に、或いは一部に存在しても良く、本開示の実施例に限定されない。
【００８８】
選択的に、メイン表示エリア２１と補助表示エリア２２は、異なる画素サイズに加え、異なる画素並べ方式、異なる画素分布密度又は他の異なる画素分布形態を有しても良い。
【００８９】
以上より、本開示の実施例により提供された技術案において、補助表示エリアにおけるサブ画素のサイズがメイン表示エリアにおけるサブ画素のサイズよりも大きいため、補助表示エリアにおける画素分布密度がメイン表示エリアにおける画素分布密度よりも小さくなる。これにより、補助表示エリアにおける配線数を可能な限りに減少し、配線レイアウトを最適化すると共に、画素同士の間のＰＤＬを可能な限りに規則的で大きな塊の形状にし、補助表示エリアにおける光通過領域（サブ画素とＰＤＬにより占有される領域を含む）により良い光透過性能、及びより高い反射率と屈折率を実現することができる。これにより、補助表示エリアの下に例えばカメラ、光センサ、接近センサ、光発射機、受光機などのような光学デバイスを設置し、これらの光学デバイスの正常動作を確保することができる。
【００９０】
ここまで説明された何れか一つの実施例により提供された幾つかの選択可能な実施例において、前記端末スクリーンは更に以下の特徴を有する。
【００９１】
選択的に、補助表示エリア２２にｎ個のサブ画素シーケンスが含まれ、且つｎが１よりも大きい整数である場合に、当該ｎ個のサブ画素シーケンスが目標方向に沿って一つずつ並べられる。選択的に、目標方向は縦方向又は横方向である。一つの例示において、サブ画素シーケンス毎に含まれる各サブ画素が第一方向に沿って一つずつ並べ、ｎ個のサブ画素シーケンスが第二方向に沿って一つずつ並べられる。第一方向と第二方向は互いに垂直である。例えば、第一方向が横方向であれば、第二方向が縦方向である。また、例えば、第一方向が縦方向であれば、第二方向が横方向である。図２を例として、補助表示エリア２２に６個のサブ画素シーケンス２３が含まれ、サブ画素シーケンス２３毎に複数のサブ画素２４が含まれ、サブ画素シーケンス２３毎に含まれる各サブ画素２４が横方向に沿って一つずつ並べ、且つこれらの６個のサブ画素シーケンス２３が縦方向に沿って一つずつ並べられる。
【００９２】
選択的に、前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれる。なお、赤色のサブ画素シーケンス、緑色のサブ画素シーケンス及び青色のサブ画素シーケンスは、目標方向に沿って一つずつ交替に並べられる。
【００９３】
一つの例示において、図４に示されたように、補助表示エリア２２において、サブ画素シーケンス毎に含まれる各サブ画素が横方向に沿って一つずつ並べ、補助表示エリア２２に少なくとも一つの赤色のサブ画素シーケンス、少なくとも一つの緑色のサブ画素シーケンス、及び少なくとも一つの青色のサブ画素シーケンスが含まれる。且つ、一つの赤色のサブ画素シーケンス、一つの緑色のサブ画素シーケンス及び一つの青色のサブ画素シーケンスの並べ順に従って、縦方向に沿って一つずつ交替に並べられる。
【００９４】
他の例示において、図５に示されたように、補助表示エリア２２において、サブ画素シーケンス毎に含まれる各サブ画素が縦方向に沿って一つずつ並べ、補助表示エリア２２に少なくとも一つの赤色のサブ画素シーケンス、少なくとも一つの緑色のサブ画素シーケンス、及び少なくとも一つの青色のサブ画素シーケンスが含まれる。且つ、一つの赤色のサブ画素シーケンス、一つの緑色のサブ画素シーケンス及び一つの青色のサブ画素シーケンスの並べ順に従って、横方向に沿って一つずつ交替に並べられる。
【００９５】
補助表示エリア２２に少なくとも一つの赤色のサブ画素シーケンス、少なくとも一つの緑色のサブ画素シーケンス、及び少なくとも一つの青色のサブ画素シーケンスが含まれる場合に、補助表示エリア２２は前記の三原色を混合して異なる各種の色を表示することができる。補助表示エリア２２に一種類又は二種類の色のサブ画素シーケンスのみが含まれる場合に、補助表示エリア２２に表示可能な色に一定の制限がある。例えば、補助表示エリア２２に赤色のサブ画素シーケンスのみが含まれる場合に、補助表示エリア２２に赤色しか表示できない。また、例えば、補助表示エリア２２に赤色のサブ画素シーケンスと緑色のサブ画素シーケンスのみが含まれる場合に、補助表示エリア２２に赤色、緑色及び赤色と緑色が混合された色のみが表示可能である。
【００９６】
本開示の実施例において、補助表示エリア２２における各サブ画素のアスペクト比に限定されない。例えば、当該アスペクト比は、１：１、１：２、１：３、２：１、３：１又は他の比例であっても良い。また、補助表示エリア２２における各サブ画素のサイズは同じであっても良く、異なっても良い。且つ、同色の各サブ画素のサイズは同じであっても良く、異なっても良い。色の異なる各サブ画素のサイズは同じであっても良く、異なっても良い。
【００９７】
選択的に、補助表示エリア２２におけるｎ個のサブ画素シーケンスのうちの少なくとも一つのサブ画素シーケンスに含まれる各サブ画素の中心点が同一の直線に位置する。例えば、図４と図５の例示において、補助表示エリア２２におけるｎ個のサブ画素シーケンスのうち、何れか一つのサブ画素シーケンスに含まれる各サブ画素の中心点は何れも同一の直線に位置する。
【００９８】
選択的に、補助表示エリア２２におけるｎ個のサブ画素シーケンスのうちの少なくとも一つのサブ画素シーケンスに含まれる各サブ画素の中心点が同一の直線に位置しない。例えば、図６又は図７の例示において、補助表示エリア２２におけるｎ個のサブ画素シーケンスのうち、何れか一つのサブ画素シーケンスに含まれる各サブ画素の中心点は何れも同一の直線に位置しない。図６と図７に示された補助表示エリア２２において、一つの曲線で接続された同色の複数のサブ画素により１個のサブ画素シーケンスを形成する。
【００９９】
一つの例示において、補助表示エリア２２におけるｎ個のサブ画素シーケンスのうちのｉ個目のサブ画素シーケンスについて、当該ｉ個目のサブ画素シーケンスに含まれる２ｋ個目のサブ画素の中心点が第一直線に位置し、２ｋ−１個目のサブ画素の中心点が第二直線に位置し、且つ第一直線と第二直線が平行である。なお、ｉはｎ以下の正整数であり、ｋは正整数である。つまり、偶数個目（例えば２個目、４個目、６個目など）のサブ画素の中心点が第一直線に位置し、奇数個目（例えば１個目、３個目、５個目など）のサブ画素の中心点が第二直線に位置する。図６又は図７における１行目の赤色のサブ画素シーケンスを例として、偶数個目のサブ画素の中心点が第一直線Ｌ１に位置し、奇数個目のサブ画素の中心点が第二直線Ｌ２に位置し、第一直線Ｌ１と第二直線Ｌ２が平行である。
【０１００】
説明すべきなのは、図６と図７に、補助表示エリア２２のｎ個のサブ画素シーケンスが縦方向に沿って一つずつ並べられる場合に、サブ画素シーケンスに含まれる各サブ画素の中心点が同一の直線に位置しない状況だけ示されたが、ｎ個のサブ画素シーケンスが横方向に沿って一つずつ並べられる場合に、サブ画素シーケンスに含まれる各サブ画素の中心点が同一の直線に位置しなくても良い。
【０１０１】
サブ画素シーケンスに含まれる各サブ画素の中心点が同一の直線に位置する場合に、配線が簡潔になり、且つ画素の製造がより簡単になる。サブ画素シーケンスに含まれる各サブ画素の中心点が同一の直線に位置しない場合に、配線が相対的に複雑になるが、表示効果が良くなり、例えば補助表示エリア２２がメイン表示エリア２１と同じか、或いは類似する表示効果を可能な限りに実現する。
【０１０２】
選択的に、補助表示エリア２２に単一色の表示能力、即ち同じタイミングで一種類の色しか表示できない能力のみを具備する場合に、補助表示エリア２２における同色のサブ画素が同一の配線を共有する。一つの例示において、図８に示されたように、補助表示エリア２２にＲ、Ｇ、Ｂのような色が異なる三つのサブ画素が含まれると仮定すると、補助表示エリア２２における全ての赤色のサブ画素が同一の配線（第一配線Ｓ１と記述する）を共有し、補助表示エリア２２における全ての緑色のサブ画素が同一配線（第二配線Ｓ２と記述する）を共有し、補助表示エリア２２における全ての青色のサブ画素が同一配線（第三配線Ｓ３と記述する）を共有し、且つ色の異なるサブ画素が異なる配線を使用し、即ち前記第一配線Ｓ１、第二配線Ｓ２と第三配線Ｓ３が異なる三セットの配線である。この場合に、補助表示エリア２２は、Ｒ、Ｇ、Ｂ又はそれらを混合して得られた任意の単一色を表示することができる。勿論、幾つかの他の実現可能な実施例において、補助表示エリア２２は、一種類又は二種類の色のサブ画素のみを含み、或いはＲ、Ｇ、Ｂのような色が異なる三つのサブ画素に加えて他の色のサブ画素を更に含んでも良い。しかし、補助表示エリア２２に何種類の色のサブ画素が含まれることに関わらず、補助表示エリア２２に単一色の表示能力しか具備しない場合に、補助表示エリア２２における同色のサブ画素が同一の配線を共有すれば良い。
【０１０３】
選択的に、補助表示エリア２２に多色表示能力、即ち同じタイミングで複数種の色を表示可能な能力を具備する場合に、補助表示エリア２２に少なくとも二つのサブエリアが含まれ、各サブエリアにおいて同色のサブ画素が同一の配線を共有する。選択的に、異なるサブエリアにおけるサブ画素の配線が互いに独立する。サブエリア毎に一つ又は複数のサブ画素が含まれても良い。一つの例示において、図９に示されたように、補助表示エリア２２は四つのサブエリア２２ａに分割される。図９の右上隅に示されたサブエリア２２ａを例とする。当該サブエリア２２ａにＲ、Ｇ、Ｂのような色が異なる三つのサブ画素が含まれ、当該サブエリア２２ａにおける全ての赤色のサブ画素が同一の配線（第四配線Ｓ４と記述する）を共有し、当該サブエリア２２ａにおける全ての緑色のサブ画素が同一の配線（第五配線Ｓ５と記述する）を共有し、当該サブエリア２２ａにおける全ての青色のサブ画素が同一の配線（第六配線Ｓ６と記述する）を共有し、且つ色の異なるサブ画素が異なる配線を使用し、即ち前記第四配線Ｓ４、第五配線Ｓ５と第六配線Ｓ６が異なる三セットの配線である。このように、それぞれのサブエリア２２ａにＲ、Ｇ、Ｂ又はそれらを混合して得られた任意の単一色を表示でき、全体として補助表示エリア２２に複数のサブエリア２２ａが含まれ、それぞれのサブエリア２２ａに一種類の単一色を表示でき、異なるサブエリア２２ａに同一又は異なる単一色を表示できるため、全体として補助表示エリア２２に多色表示能力を具備することができる。また、図９の例示において、サブエリア２２ａ毎にＲ、Ｇ、Ｂのような色が異なる三つのサブ画素が含まれる場合のみを例として説明されたが、他の実現可能な実施例において、一つのサブエリア２２ａに一種類又は二種類の色のサブ画素のみが含まれ、或いはＲ、Ｇ、Ｂのような色が異なる三つのサブ画素に加えて他の色のサブ画素が更に含まれても良い。また、本開示の実施例において、補助表示エリア２２に含まれるサブエリア２２ａの数及び分割方式に限定せず、実際の必要に応じて設計可能である。補助表示エリア２２に多色表示能力を具備する場合に、補助表示エリア２２に含まれる複数のサブエリアは、複数のカラーブロックを表示して多くの表示ニーズに応じることができる。
【０１０４】
選択的に、図１０に示されたように、表示層２０に更に過渡的表示エリア２５（図中に斜線で充填された領域）が含まれる。過渡的表示エリア２５は、メイン表示エリア２１と補助表示エリア２２の間に介在する。過渡的表示エリア２５はメイン表示エリア２１及び補助表示エリア２２と異なる画素分布形態を有する。例えば、過渡的表示エリア２５におけるサブ画素のサイズは、メイン表示エリア２１におけるサブ画素のサイズよりも大きく、補助表示エリア２２におけるサブ画素のサイズよりも小さい。過渡的表示エリア２５における各サブ画素のサイズは、同じであっても良く、異なっても良い。例えば、補助表示エリア２２に近いサブ画素であるほどサイズが大きくなり、メイン表示エリア２１に近いサブ画素であるほどサイズが小さくなる。前記方式により、メイン表示エリア２１と補助表示エリア２２との間の解像度の遷移がよりスムーズになり、全体として端末スクリーンの表示効果を向上させることができる。
【０１０５】
また、メイン表示エリア２１、補助表示エリア２２及び過渡的表示エリア２５は個別で独立に制御して表示する。つまり、メイン表示エリア２１、補助表示エリア２２及び過渡的表示エリア２５はそれぞれ独立な配線を備える。これにより、過渡的表示エリア２５に表示される輝度及び色を個別に制御可能である。幾つかの応用シナリオにおいて、メイン表示エリア２１と補助表示エリア２２はそれぞれ関連の内容を表示でき、幾つかの特定内容の表示のニーズに応じるように過渡的表示エリア２５に電源を提供せずに過渡的表示エリア２５に黒色を表示させても良い。
【０１０６】
また、補助表示エリア２２における各サブ画素同士の間隔距離は、メイン表示エリア２１における各サブ画素同士の間隔距離と可能な限りに同一又は接近しても良い。例えば、同色のサブ画素の間の横方向又は縦方向の間隔距離は、補助表示エリア２２とメイン表示エリア２１において可能な限りに同一又は接近する。選択的に、補助表示エリア２２における画素分布形態が図６又は図７に示されたようになる場合に、第一直線と第二直線との間の距離は、メイン表示エリア２１における二つの同色のサブ画素の中心点の間の距離に等しい。前記方式により、全体として端末スクリーンの表示効果の向上に寄与する。
【０１０７】
説明すべきなのは、本開示の実施例において、メイン表示エリア２１におけるサブ画素の並べ方式に限定されない。メイン表示エリアにおけるサブ画素の並べ方式は、Ｄｅｌｔａ配列、Ｐｅｎｔｉｌｅ配列、標準ＲＧＢ配列のうち一種又は複数種の組合わせである。
【０１０８】
更に説明すべきなのは、本開示の実施例において、補助表示エリア２２の断面形状は限定されない。それは長方形、角丸長方形、円形などのような規則的な形状であっても良く、ドロップ形状、円弧形状などのような非規則的な形状であっても良い。
【０１０９】
また、前記の図１〜図１０に示された例示において、メイン表示エリア２１のエッジ又は中央に欠け部が形成され、且つ補助表示エリア２２が前記欠け部に位置する場合のみを例として説明した。幾つかの他の実現可能な実施例において、メイン表示エリア２１に欠け部が形成されず、補助表示エリア２２がメイン表示エリア２１のある側辺の付近に位置すると共に、メイン表示エリア２１と緊密に接続されても良い。また、表示層２０には、メイン表示エリア２１に形成された欠け部における補助表示エリア２２に加えて、メイン表示エリア２１のある側辺の付近に位置する補助表示エリア２２も含まれても良い。
【０１１０】
選択的に、端末スクリーンは規則的な形状になる。当該規則的な形状には、長方形、角丸長方形、円形のうち何れか一つが含まれる。勿論、幾つかの他の実現可能な実施例において、端末スクリーンは非規則的な形状になっても良く、本開示に限定されない。
【０１１１】
また、基板１０は、メイン表示エリア２１の下に位置する第一基板領域、及び補助表示エリア２２の下に位置する第二基板領域を含むことができる。なお、メイン表示エリア２１の基板１０における投影領域は第一基板領域であり、補助表示エリア２２の基板１０における投影領域は第二基板領域である。一つの実現可能な実現方式において、第一基板領域と第二基板領域は同じ材料で生成される。つまり、基板１０は、同じ材料で生成される一体化のプレートである。例えば、当該基板１０は、ガラスで生成されても良く、ＰＩで生成されても良い。他の実現可能な実現方式において、第一基板領域と第二基板領域は異なる材料で生成される。例えば、第一基板領域と第二基板領域は異なる材料で生成される。例示的に、第一基板領域はＰＩ材料で生成され、第二基板領域はガラス材料で生成される。ガラス材料はＰＩ材料に比べてより良い光透過性を有するが、ガラス材料が硬質材料であり、湾曲不可である一方、ＰＩ材料によりフレキシブルスクリーンを生成可能である。前記方式により、メイン表示エリア２１に対応する第一基板領域がＰＩ材料で生成されるため、端末スクリーンの殆どの領域が湾曲可能になり、フレキシブルスクリーンの設計を実現した。それに対して、補助表示エリア２２に対応する第二基板領域が光透過性の良いガラス材料で生成されるため、補助表示エリア２２の下に設置されるカメラ、センサなどの光学デバイスの動作性能が一層に良くなる。
【０１１２】
また、表示層２０は一般的にドライバＩＣにより制御される。一つの例示において、メイン表示エリア２１と補助表示エリア２２は同一のドライバＩＣを共有する。例えば、一つのドライバＩＣは、メイン表示エリア２１を駆動する部分と、補助表示エリア２２を駆動する部分との二つの部分に分割可能である。他の例示において、メイン表示エリア２１と補助表示エリア２２は異なるドライバＩＣを使用する。例えば、端末スクリーンは、メイン表示エリア２１を駆動するドライバＩＣと、補助表示エリア２２を駆動するドライバＩＣとの二つのドライバＩＣを備える。また、表示層２０に複数の補助表示エリア２２が含まれる場合に、当該複数の補助表示エリア２２は、同一のドライバＩＣを共有しても良く、異なるドライバＩＣを使用しても良く、本開示に限定されない。
【０１１３】
また、端末スクリーンは、前述された基板１０と表示層２０に加え、タッチセンシング層とガラスカバーを含んでも良い。なお、タッチセンシング層は表示層２０上に位置し、ガラスカバーはタッチセンシング層上に位置する。タッチセンシング層は、ユーザの指によるクリック、スライド、押下などの操作を検出するようなタッチセンシング機能を実現するためである。ガラスカバーは、端末スクリーンに対する保護を実現してスクリーンの使用寿命を延長する。
【０１１４】
本開示の実施例により提供された端末スクリーンは、ＬＣＤ（Ｌｉｑｕｉｄ  Ｃｒｙｓｔａｌ  Ｄｉｓｐｌａｙ、液晶ディスプレー）スクリーンであっても良く、ＯＬＥＤスクリーンであっても良い。端末スクリーンはＯＬＥＤスクリーンである場合に、フレキシブルスクリーンであっても良く、非可撓性スクリーンであっても良い。
【０１１５】
端末スクリーンがＬＣＤスクリーンである場合に、表示層２０は、下から順に並べるＴＦＴアレイ、液晶層、ＣＦ（Ｃｏｌｏｒ  Ｆｉｌｔｅｒ、カラーフィルタ）を備えても良い。表示層２０の下に位置する基板は、ガラス材料で生成可能であり、下基板と呼ばれても良い。表示層２０の上部に一般的に上基板が更に設置され、当該上基板がガラス材料で生成可能である。また、下基板の下に下偏光フィルムが設置されても良く、上基板の上に上偏光フィルムが設置されても良い。そして、ＬＣＤスクリーンは、下偏光フィルムの下に位置するバックライトモジュールを更に含む。
【０１１６】
端末スクリーンがＯＬＥＤスクリーンである場合に、表示層２０は下から順に並べるＩＴＯ（ｉｎｄｉｕｍ  ｔｉｎ  ｏｘｉｄｅ、酸化インジウムスズ）アノード、正孔輸送層、有機発光層、電子輸送層と金属カソードを含んでも良い。表示層２０の下に位置する基板は、ガラス材料で生成されても良く、プラスチックで生成されても良く、金属箔又は他の材料で生成されても良い。
【０１１７】
勿論、前記ＬＣＤスクリーンとＯＬＥＤスクリーンの階層構造に関する説明は、例示的で解釈的なものに過ぎず、本開示の実施例の技術案に対する限定ではない。
【０１１８】
図１１は、一つの例示的な実施例により示されたスクリーン構造の模式図である。当該スクリーン構造は、ｎ個のサブ画素シーケンス２３を含むことができ、ｎが正整数である。
【０１１９】
前記ｎ個のサブ画素シーケンス２３のうちのそれぞれ一つのサブ画素シーケンスに少なくとも二つのサブ画素２４が含まれ、且つ何れか一つのサブ画素シーケンス２３に含まれる各サブ画素２４の色が同一である。サブ画素２４の色に一般的にＲ、ＧとＢの三つの色が含まれるため、前記ｎ個のサブ画素シーケンス２３におけるあるサブ画素シーケンス２３は、赤色のサブ画素シーケンスであっても良く、緑色のサブ画素シーケンスであっても良く、青色のサブ画素シーケンスであっても良い。
【０１２０】
また、当該スクリーン構造において、同一の配線を共有する同色のサブ画素２４が少なくとも二つが存在する。例えば、図１１に示されたサブ画素Ａ、サブ画素Ｂとサブ画素Ｃは同色である。例えば、この三つのサブ画素は、何れも赤色のサブ画素であっても良く、何れも緑色のサブ画素であっても良く、何れも青色のサブ画素であっても良い。そして、この三つのサブ画素は同一の配線を共有する。
【０１２１】
スクリーン構造において同一の配線を共有する同色のサブ画素が少なくとも二つが存在するため、スクリーン構造における配線の数が減少し、配線のレイアウトが最適化されることにより、スクリーン構造における保持容量、ＴＦＴのようなデバイスの数が低減され、スクリーン構造の光透過率を向上した。これにより、スクリーン構造の下にカメラ、光センサ、接近センサ、光発射機、受光機等のような光学デバイスを設置し、且つこれらの光学デバイスの正常の動作を確保することができる。
【０１２２】
選択的に、ｎが１よりも大きい整数である場合に、前記ｎ個のサブ画素シーケンスは目標方向に沿って一つずつ並べられる。選択的に、目標方向は縦方向又は横方向である。
【０１２３】
選択的に、ｎ個のサブ画素シーケンスは、少なくとも一つの赤色のサブ画素シーケンス、少なくとも一つの緑色のサブ画素シーケンス、及び少なくとも一つの青色のサブ画素シーケンスを含む。そして、赤色のサブ画素シーケンス、緑色のサブ画素シーケンス及び青色のサブ画素シーケンスは目標方向に沿って一つずつ交替に並べられる。
【０１２４】
選択的に、ｎ個のサブ画素シーケンスのうちの少なくとも一つのサブ画素シーケンスに含まれる各サブ画素の中心点が同一の直線に位置する。
【０１２５】
選択的に、ｎ個のサブ画素シーケンスのうちの少なくとも一つのサブ画素シーケンスに含まれる各サブ画素の中心点が同一の直線に位置しない。
【０１２６】
選択的に、ｎ個のサブ画素シーケンスのうちのｉ個目のサブ画素シーケンスについて、ｉ個目のサブ画素シーケンスに含まれる２ｋ個目のサブ画素の中心点が第一直線に位置し、２ｋ−１個目のサブ画素の中心点が第二直線に位置し、且つ第一直線と第二直線が平行である。なお、ｉはｎ以下の正整数であり、ｋは正整数である。
【０１２７】
選択的に、第一直線と第二直線の間の距離は、メイン表示エリアにおける二つの同色のサブ画素の中心点の間の距離に等しい。
【０１２８】
選択的に、スクリーン構造における同色のサブ画素は同一の配線を共有する。
【０１２９】
選択的に、スクリーン構造に少なくとも二つのサブエリアが含まれ、各サブエリアにおける同色のサブ画素は同一の配線を共有する。
【０１３０】
本実施例により提供されたスクリーン構造は、上記の実施例に説明された端末スクリーンにおける補助表示エリア２２と同一又は類似する特性を有する。本実施例に詳しく説明されていない詳細は、上記の実施例における端末スクリーンの補助表示エリア２２に関する説明を参照でき、本実施例に詳しく説明しない。
【０１３１】
また、本実施例により提供されたスクリーン構造は、一つの端末スクリーンとして個別に実現されても良く、前述された補助表示エリア２２としてメイン表示エリアと組合わせて一つの端末スクリーンを形成しても良い。
【０１３２】
本開示の一つの例示的な実施例は、更に端末を提供した。当該端末は、携帯電話、タブレット、電子書籍リーダ、マルチメディア再生デバイス、ウェアラブルデバイス、車載端末などのような電子デバイスであっても良い。当該端末は、図１の実施例又は前記の何れか一つの選択可能な実施例により提供された端末スクリーンを含む。
【０１３３】
一つの例示において、図１２に示されたように、端末１は端末スクリーンを含む。端末スクリーンは、基板（図１２に示されていない）及び基板の上層に位置する表示層２０を含む。選択的に、表示層２０の上にタッチセンシング層とガラスカバーが含まれても良い。
【０１３４】
図１２に示されたように、表示層２０はメイン表示エリア２１と補助表示エリア２２とを含む。図１２において、表示層２０に一つの補助表示エリア２２が含まれ、当該補助表示エリア２２がメイン表示エリア２１のトップエッジに形成された欠け部に位置し、補助表示エリア２２がメイン表示エリア２１と共に断面が角丸長方形の表示層２０を形成する構造のみを例として説明した。補助表示エリア２２とメイン表示エリア２１は他の位置関係であっても良く、本開示の実施例に限定されない。
【０１３５】
一つの例示において、補助表示エリア２２にｎ個のサブ画素シーケンスが含まれ、当該ｎ個のサブ画素シーケンスのうちのそれぞれ一つのサブ画素シーケンスに少なくとも二つのサブ画素が含まれ、且つ何れか一つのサブ画素シーケンスに含まれる各サブ画素の色が同一であり、ｎが正整数である。補助表示エリア２２において同一の配線を共有する同色のサブ画素は少なくとも二つが存在する。
【０１３６】
他の例示において、補助表示エリア２２におけるサブ画素のサイズは、メイン表示エリア２１におけるサブ画素のサイズよりも大きい。
【０１３７】
補助表示エリア２２に関する説明は、上記の実施例を参照でき、ここでは詳しく説明しない。前記の二つの例示は、何れも補助表示エリア２２に高い光透過率を持たせることができる。勿論、補助表示エリア２２は、前記二つの例示のうち何れか一つに限定されている特徴だけを具備しても良く、前記二つの例示に限定されている全ての特徴を同時に具備しても良い。
【０１３８】
補助表示エリア２２の下に光学デバイス（図１２に示されていない）が設置される。当該光学デバイスは、例えばカメラ、光センサ、接近センサ、光発射機、受光機のうち少なくとも一つを含むが、それらに限定されない。なお、カメラは、撮影機能を実現するためのものであり、通常カメラ、赤外線カメラ、深度カメラなどがある。光センサは、環境の光強度を採集するためである。接近センサは、前方の物体までの距離を採集するためである。光発射機は、光を射出するための機能デバイスであり、例えば赤外線射出機又は幾つかの他の光を射出するための射出機がある。受光機は、光を受光するための機能デバイスであり、例えば赤外線受光機又は幾つかの他の光を受光するための受光機がある。
【０１３９】
選択的に、補助表示エリア２２の下に設置される機能デバイスは、前述された光学デバイスに加え、他の機能デバイス、例えば受話器、生物センサ、環境センサ、食品安全検出センサ、健康センサなどを含んでも良い。受話器は、音声の再生機能を実現するためである。生物センサは、ユーザの生物特徴を認識するためであり、例えば指紋認識センサ、虹彩認識センサなどがある。環境センサは、環境情報を採集するためであり、例えば温度センサ、湿度センサ、気圧センサなどがある。食品安全検出センサは、食品における幾つかの有害物の指標を検出するためであり、例えば光学センサ、生物認識センサなどがある。健康センサは、ユーザの健康情報を採集するためであり、例えばユーザの心拍、血圧、ハートビート又は他の人体データを採集するためのセンサがある。
【０１４０】
一つの補助表示エリア２２の下に一つの機能デバイスが設置されても良く、複数の機能デバイスが設置されても良い。例えばある補助表示エリア２２の下にカメラと接近センサが設置される。また、表示層２０に複数の補助表示エリア２２が含まれる場合に、一部の補助表示エリア２２の下に前記機能デバイスが設置され、一部の補助表示エリア２２の下に前記機能デバイスが設置されなくても良く、異なる二つの補助表示エリア２２の下に同一又は異なる機能デバイスが設置されても良い。例えば、一つの補助表示エリア２２の下にカメラと接近センサが設置され、他の補助表示エリア２２の下に指紋認識センサが設置される。
【０１４１】
本開示の実施例において、補助表示エリア２２に少なくとも一つのサブ画素シーケンスが含まれ、且つ何れか一つのサブ画素シーケンスに含まれる各サブ画素の色が同一であるように設計することにより、補助表示エリア２２における配線の数が可能な限りに減少し、配線のレイアウトが最適化されることにより、補助表示エリア２２における保持容量、ＴＦＴのようなデバイスの数が低減され、補助表示エリア２２の光透過率を向上させることができる。これにより、補助表示エリア２２の下に幾つかの光学デバイスを設置し、且つこれらの光学デバイスの正常の動作を確保することができる。
【０１４２】
本開示の一つの例示的な実施例は、更に図１の実施例又は前記何れか一つの選択可能な実施例により提供された端末スクリーンを制御するための端末スクリーンの制御方法を提供した。当該方法は、端末スクリーンのドライバＩＣにより実行されても良く、端末におけるプロセッサにより実行されても良く、端末における処理能力を持つ複数のコンポーネントが協働して実行されても良い。当該方法は、メイン表示エリアへ第一同期信号を送信し、補助表示エリアへ第二同期信号を送信するステップを含むことができる。
【０１４３】
なお、第一同期信号と第二同期信号は、メイン表示エリアと補助表示エリアに同一の内容が同時に表示するように制御するためである。当該同一の内容は、同一の表示画面又は同一のフレームと呼ばれても良い。メイン表示エリアと補助表示エリアは異なる二つのドライバＩＣ又は同一のドライバＩＣにおける異なる部分により個別に制御されるため、メイン表示エリアと補助表示エリアに同一の内容における異なる部分を表示する必要がある場合に、メイン表示エリアと補助表示エリアとの間のフレームの同期を確保し、メイン表示エリアと補助表示エリアにおける異なるフレームの表示による表示効果への影響を回避する必要がある。
【０１４４】
本開示の実施例により提供された端末スクリーンを採用することにより、メイン表示エリアに表示の内容と補助表示エリアに表示の内容とを組合わせて形成される一つの完備な表示内容は、当該端末スクリーンと同一のサイズ及び形状を有するが、メイン表示エリアと補助表示エリアとが区分されない他の端末スクリーンに表示可能な一つの完備な表示内容に相当する。しかし、補助表示エリアの光透過率が高いため、補助表示エリアの下に幾つかの光学デバイスを設置し、これらの光学デバイスの正常動作の性能を確保することができる。これにより、端末スクリーンの表示品質を犠牲しない前提で、もともと端末フロントパネルに設置する必要がある光学デバイス及び他の機能デバイスを端末スクリーンの下に設置することができ、端末スクリーンの画面占有率が一層に１００％に近いか、又は１００％に達することが可能になる。
【０１４５】
選択的に、当該方法は、メイン表示エリアにおける表示すべき内容の原色のコンポーネント、及び補助表示エリアにおける表示すべき内容の原色のコンポーネントを取得し、メイン表示エリアと補助表示エリアに対してそれぞれＧａｍｍａ補正を行って、メイン表示エリアにおける表示すべき内容の補正後の色のコンポーネント、及び補助表示エリアにおける表示すべき内容の補正後の色のコンポーネントを取得し、メイン表示エリアへメイン表示エリアにおける表示すべき内容の補正後の色のコンポーネントを送信し、補助表示エリアへ前記補助表示エリアにおける表示すべき内容の補正後の色のコンポーネントを送信するステップを更に含む。
【０１４６】
メイン表示エリアと補助表示エリアの製造属性（例えば前述された画素分布形態）が異なるため、同色効果を表す場合に、両者に採用される色のコンポーネントも差別がある可能性がある。なお、色のコンポーネントにＲ、Ｇ、Ｂの各色の成分の値が含まれても良い。例えば、上層アプリケーションプログラムから端末スクリーンに一つの赤色の領域を表示するように要求し、且つ当該赤色の領域の一部がメイン表示エリアに表示され、他の一部が補助表示エリアに表示される場合に、同一の色のコンポーネント（例えばＲ、Ｇ、Ｂはそれぞれ２５５、０、０に対応する）をメイン表示エリアと補助表示エリアへ送信すると、メイン表示エリアが色のコンポーネント２５５／０／０に従って表示する時に表される色と補助表示エリアが色のコンポーネント２５５／０／０に従って表示する時に表される色は、人間の目から見ると一致ではなく、差別がある可能性がある。従って、メイン表示エリアと補助表示エリアに対してそれぞれＧａｍｍａ補正を行うことにより、メイン表示エリアと補助表示エリアに同一の色を表示する必要がある場合に、同一の色効果を表すことができる。
【０１４７】
選択的に、メイン表示エリアの画素分布密度が補助表示エリアの画素分布密度よりも大きく、即ちメイン表示エリアの解像度が補助表示エリアの解像度よりも大きいことを考慮した上で、メイン表示エリアと補助表示エリアが同一の内容における異なる部分を表示する時に、二つの表示エリアの間の表示効果がスムーズに遷移できるように、前記メイン表示エリアと補助表示エリアとの間に更に過渡的表示エリアが形成される。それに応じて、当該方法は、メイン表示エリアと補助表示エリアにおける表示すべき内容に応じて、メイン表示エリアと補助表示エリアとの間の過渡的表示エリアの表示パラメータを確定し、過渡的表示エリアへ前記表示パラメータを送信し、過渡的表示エリアを前記表示パラメータに応じて表示するように制御するステップを更に含む。
【０１４８】
なお、過渡的表示エリアの表示パラメータは、メイン表示エリアと補助表示エリアとの間の表示効果をスムーズに遷移させ、解像度が異なることにより二つの表示エリアにおける表示効果に明らかな差別があることを回避し、スクリーンに対するユーザの閲覧体験を向上させるためのものである。
【０１４９】
以下は本開示の方法の実施例を実行可能な本開示の装置の実施例である。本開示の装置の実施例に詳しく説明されていない詳細部分は、本開示の方法の実施例を参照することができる。
【０１５０】
図１３は、一つの例示的な実施例により示された端末スクリーンの制御装置のブロック図である。当該装置は、前記の方法の例示を実現するための機能を備える。当該装置は、ハードウェアで実現されても良く、ハードウェアにより対応するソフトウェアを実行することにより実現されても良い。当該装置は、前述された端末であっても良く、前述された端末に設置されても良い。当該装置は、図１の実施例又は前記何れか一つの選択可能な実施例により提供された端末スクリーンを制御するためである。図１３に示されたように、当該装置１３００は送信モジュール１３１０を備えることができる。
【０１５１】
送信モジュール１３１０は、前記メイン表示エリアへ第一同期信号を送信し、前記補助表示エリアへ第二同期信号を送信するように構成される。前記第一同期信号と前記第二同期信号は、前記メイン表示エリアと前記補助表示エリアに同一の内容を同時に表示するように制御する。
【０１５２】
選択的に、図１３に示されたように、前記装置１３００は更に、取得モジュール１３２０と補正モジュール１３３０とを備える。
【０１５３】
取得モジュール１３２０は、前記メイン表示エリアにおける表示すべき内容の原色のコンポーネント、及び前記補助表示エリアにおける表示すべき内容の原色のコンポーネントを取得するように構成される。
【０１５４】
補正モジュール１３３０は、前記メイン表示エリアと前記補助表示エリアに対してそれぞれＧａｍｍａ補正を行って、前記メイン表示エリアにおける表示すべき内容の補正後の色のコンポーネント、及び前記補助表示エリアにおける表示すべき内容の補正後の色のコンポーネントを取得するように構成される。
【０１５５】
前記送信モジュール１３１０は、更に、前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信するように構成される。
【０１５６】
選択的に、図１３に示されたように、前記装置１３００は更に確定モジュール１３４０を備える。
【０１５７】
確定モジュール１３４０は、前記メイン表示エリアと前記補助表示エリアにおける表示すべき内容に応じて、前記メイン表示エリアと前記補助表示エリアとの間の過渡的表示エリアの表示パラメータを確定するように構成される。
【０１５８】
前記送信モジュール１３１０は、更に、前記過渡的表示エリアへ前記表示パラメータを送信するように構成される。前記過渡的表示エリアは、前記表示パラメータに応じて前記過渡的表示エリアの表示を制御するためである。
【０１５９】
説明すべきなのは、前記実施例により提供された装置は、その機能を実現する際に、前記各機能モジュールの分割だけを例として説明する。実際の応用において、実際の必要に応じて前記機能を異なる機能モジュールに分散して完成させても良い。即ち、デバイスの内容構造を異なる機能モジュールに分割して前述された全て又は一部の機能を完成する。
【０１６０】
前記実施例における装置において、各モジュールが操作を実行する具体的な方式は、既に当該方法に関する実施例に詳しく説明されたため、ここでは詳しく説明されていない。
【０１６１】
本開示の一つの例示的な実施例は、本開示の実施例により提供された端末スクリーンの制御方法を実現可能な端末を更に提供した。当該端末は、図１の実施例又は前記何れか一つの選択可能な実施例により提供された端末スクリーンを備える。そして、当該端末は更に、プロセッサと、プロセッサの実行可能な指令を記憶するためのメモリとを備える。
【０１６２】
なお、プロセッサは、前記メイン表示エリアへ第一同期信号を送信し、前記補助表示エリアへ第二同期信号を送信するように構成される。前記第一同期信号と前記第二同期信号は、前記メイン表示エリアと前記補助表示エリアに同一の内容を同時に表示するように制御するためである。
【０１６３】
選択的に、プロセッサは、更に、前記メイン表示エリアにおける表示すべき内容の原色のコンポーネント、及び前記補助表示エリアにおける表示すべき内容の原色のコンポーネントを取得し、前記メイン表示エリアと前記補助表示エリアに対してそれぞれＧａｍｍａ補正を行って、前記メイン表示エリアにおける表示すべき内容の補正後の色のコンポーネント、及び前記補助表示エリアにおける表示すべき内容の補正後の色のコンポーネントを取得し、前記メイン表示エリアへ前記メイン表示エリアにおける表示すべき内容の補正後の色のコンポーネントを送信し、及び前記補助表示エリアへ前記補助表示エリアにおける表示すべき内容の補正後の色のコンポーネントを送信するように構成される。
【０１６４】
選択的に、プロセッサは、更に、前記メイン表示エリアと前記補助表示エリアにおける表示すべき内容に応じて、前記メイン表示エリアと前記補助表示エリアとの間の過渡的表示エリアの表示パラメータを確定し、前記過渡的表示エリアへ前記表示パラメータを送信するように構成される。前記過渡的表示エリアは、前記表示パラメータに応じて前記過渡的表示エリアの表示を制御する。
【０１６５】
図１４は、一つの例示的な実施例により示された端末１４００の構造ブロック図である。例えば、端末１４００は、携帯電話、タブレット、電子書籍リーダ、マルチメディア再生デバイス、ウェアラブルデバイス、車載端末などの電子デバイスであっても良い。
【０１６６】
図１４を参照する。端末１４００は、処理コンポーネント１４０２、メモリ１４０４、電源コンポーネント１４０６、マルチメディアコンポーネント１４０８、オーディオコンポーネント１４１０、入力／出力（Ｉ／Ｏ）インターフェース１４１２、センサコンポーネント１４１４、及び通信コンポーネント１４１６のうちの一つ又は複数のコンポーネントを備えても良い。
【０１６７】
処理コンポーネント１４０２は、一般的に、端末１４００の全体的な操作、例えば表示、電話の呼び出し、データ通信、カメラ操作及び記録操作に関する操作を制御する。処理コンポーネント１４０２は、一つ又は複数のプロセッサ１４２０を備えて指令を実行することにより、前記の方法の全て又は一部のステップを完成可能である。また、処理コンポーネント１４０２は、処理コンポーネント１４０２と他のコンポーネントとの間のやりとりが便利になるように一つ又は複数のモジュールを備えても良い。例えば、処理コンポーネント１４０２は、マルチメディアコンポーネント１４０８と処理コンポーネント１４０２との間のやりとりが便利になるようにマルチメディアモジュールを備えても良い。
【０１６８】
メモリ１４０４は、端末１４００における操作をサポートするように、各種のタイプのデータを記憶するように構成される。これらのデータの例示は、端末１４００において操作するための任意のアプリ又は方法の指令、連絡先データ、電話帳データ、メッセージ、ピクチャ、ビデオなどを含む。メモリ１４０４は、任意のタイプの揮発的又は不揮発的な記憶装置或いはそれらの組み合わせにより実現可能であり、例えばスタティックランダムアクセスメモリ（ＳＲＡＭ）、電気的消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気ディスク又は光ディスクがある。
【０１６９】
電源コンポーネント１４０６は端末１４００の各コンポーネントへ電力を提供する。電源コンポーネント１４０６は、電源管理システム、一つ又は複数の電源、及び端末１４００に対して電力を生成、管理、配電する関連の他のコンポーネントを含んでも良い。
【０１７０】
マルチメディアコンポーネント１４０８は、前記端末１４００とユーザとの間に配置される、一つの出力インターフェースを提供する端末スクリーンを備える。当該端末スクリーンは、図１の実施例又は前記何れか一つの選択可能な実施例により提供された端末スクリーンであっても良い。幾つかの実施例において、マルチメディアコンポーネント１４０８は一つのフロントカメラ及び／又はバックカメラを備える。端末１４００が操作モード、例えば撮影モード又はビデオモードにある場合に、フロントカメラ及び／又はバックカメラは外部からのマルチメディアデータを受信可能である。各フロントカメラ及びバックカメラは、固定的な光学レンズシステム又は焦点距離と光学ズーム能力を持つものであっても良い。
【０１７１】
オーディオコンポーネント１４１０は、オーディオ信号を出力し及び／又は入力するように構成される。例えば、オーディオコンポーネント１４１０は一つのマイク（ＭＩＣ）を備える。端末１４００が操作モード、例えば呼び出しモード、記録モードと音声認識モードにある場合に、マイクは外部のオーディオ信号を受信するように構成される。受信されたオーディオ信号は、更にメモリ１４０４に記憶し、或いは通信コンポーネント１４１６を介して送信可能である。幾つかの実施例において、オーディオコンポーネント１４１０は更にオーディオ信号を出力するための一つのスピーカを備える。
【０１７２】
Ｉ／Ｏインターフェース１４１２は、処理コンポーネント１４０２と周辺インターフェースモジュールとの間にインターフェースを提供する。前記周辺インターフェースモジュールは、キーボード、クリックホイール、ボタンなどであっても良い。これらのボタンは、ホームページボタン、ボリュームボタン、起動ボタンとロックボタンを含むが、それらに限定されない。
【０１７３】
センサコンポーネント１４１４は、端末１４００に対して各方面の状態評価を提供するための一つ又は複数のセンサを備える。例えば、センサコンポーネント１４１４は、端末１４００のオープン／クローズ状態、コンポーネントの相対的な測位を検出可能であり、例えば前記コンポーネントが端末１４００のディスプレーとパッドである。センサコンポーネント１４１４は、端末１４００又は端末１４００におけるあるコンポーネントの位置変化、ユーザと端末１４００の接触のあり／なし、端末１４００の方位又は加速／減速、端末１４００の温度変化を検出しても良い。センサコンポーネント１４１４は、なにも物理的な接触がない場合に付近の物体の存在を検出するように構成される接近センサを備えても良い。センサコンポーネント１４１４は、画像形成の応用に使用される光センサ、例えばＣＭＯＳ又はＣＣＤ画像センサを備えても良い。幾つかの実施例において、当該センサコンポーネント１４１４は更に、加速度センサ、ジャイロセンサ、磁気センサ、圧力センサ又は温度センサを備えても良い。
【０１７４】
通信コンポーネント１４１６は、端末１４００と他のデバイスとの間の有線又は無線手段による通信に寄与するように構成される。端末１４００は、通信標準による無線ネットワーク、例えばＷｉ−Ｆｉ、２Ｇ、３Ｇ、４Ｇ又は５Ｇ、或いはそれらの組合せにアクセスすることができる。一つの例示的な実施例において、通信コンポーネント１４１６は、ラジオチャンネルを経由して外部のラジオ管理システムからのラジオ信号又はラジオ関連情報を受信する。一つの例示的な実施例において、前記通信コンポーネント１４１６は、短距離通信を促進するようにニアフィールド通信（ＮＦＣ）モジュールを更に備える。例えば、ＮＦＣモジュールにおいて、無線周波数識別（ＲＦＩＤ）技術、赤外線データ協会（ＩｒＤＡ）技術、スーパーバンド（ＵＷＢ）技術、ブルトゥース（ＢＴ）技術及び他の技術で実現可能である。
【０１７５】
例示的な実施例において、端末１４００は、一つ又は複数のアプリ専用集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子により実現され、前記方法を実行するように構成されても良い。
【０１７６】
例示的な実施例において、更に指令を含む不揮発的なコンピュータ読取可能な記憶媒体、例えば指令を含むメモリ１４０４を提供した。前記指令は、端末１４００のプロセッサ１４２０により実行されて前記方法を完成可能である。例えば、前記不揮発的なコンピュータ読取可能な記憶媒体は、ＲＯＭ、ＲＡＭ、ＣＤ−ＲＯＭ、磁気テープ、フロッピと光データ記憶デバイスなどであっても良い。
【０１７７】
コンピュータプログラムが記憶されている不揮発的なコンピュータ読取可能な記憶媒体を提供した。前記コンピュータプログラムが端末１４００のプロセッサにより実行されると、前述された端末スクリーンの制御方法を実現可能である。
【０１７８】
理解すべきなのは、本文に言及された「複数」は、二つ又は二つ以上を指す。「及び／または」は、関連対象の関連関係を記述し、三種の関係が存在可能と示す。例えば、Ａ及び／又はＢは、Ａだけ存在すること、ＡとＢが同時に存在すること、Ｂだけ存在することのような三種の状況を示すことができる。文字「／」は、一般的に、前後の関連対象が「又は」の関係にあると示す。
【０１７９】
当業者は、明細書を考慮してここで開示された発明を実現すると、本開示の実施例の他の実施手段を容易に想到できる。本願は、本開示の実施例のあらゆる変形、用途又は適合的な変化をカバーするためである。これらのの変形、用途又は適合的な変化は、本開示の実施例の一般的な原理に従い、本開示の実施例に開示されていない当分野における公知常識又は慣用的な技術手段を含む。明細書と実施例は、例示的なものに過ぎない。本開示の実施例の本当な範囲及び主旨は、添付の特許請求の範囲により示される。
【０１８０】
理解すべきなのは、本開示の実施例は、ここまで説明され且つ図面に示された細かい構造に限定されず、その範囲から逸脱されていない範囲内に各種の補正及び変更を行うことができる。本開示の実施例の範囲は、添付の特許請求の範囲だけに限定される。
【産業上の利用可能性】
【０１８１】
工業の実用性
本開示の実施例において、基板に一体化された表示層を形成し、製造プロセスにより当該表示層をメイン表示エリアと補助表示エリアに分け、メイン表示エリアと補助表示エリアは異なる画素分布形態を有し、補助表示エリアに少なくとも一つのサブ画素シーケンスが含まれ、当該少なくとも一つのサブ画素シーケンスのうちのそれぞれ一つのサブ画素シーケンスに少なくとも二つのサブ画素が含まれ、何れか一つのサブ画素シーケンスに含まれる各サブ画素の色が同一である。補助表示エリアにおいて、同一の配線を共有する同色のサブ画素が少なくとも二つが存在するため、補助表示エリアにおける配線の数が減少し、配線のレイアウトが最適化されることにより、補助表示エリアにおける保持容量、ＴＦＴ（Ｔｈｉｎ  Ｆｉｌｍ  Ｔｒａｎｓｉｓｔｏｒ、薄膜トランジスタ）のようなデバイスの数が低減され、補助表示エリアの光透過率を向上した。これにより、補助表示エリアの下にカメラ、光センサ、接近センサ、光発射機、受光機等のような光学デバイスを設置し、且つこれらの光学デバイスの正常の動作を確保することができ、前記光学デバイスの動作性能を最大限に確保可能である。
【図１】
2021503613.tif 000003
【図２】
2021503613.tif 000004
【図３】
2021503613.tif 000005
【図４】
2021503613.tif 000006
【図５】
2021503613.tif 000007
【図６】
2021503613.tif 000008
【図７】
2021503613.tif 000009
【図８】
2021503613.tif 000010
【図９】
2021503613.tif 000011
【図１０】
2021503613.tif 000012
【図１１】
2021503613.tif 000013
【図１２】
2021503613.tif 000014
【図１３】
2021503613.tif 000015
【図１４】
2021503613.tif 000016
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
基板及び前記基板の上層に位置する表示層を備え、
前記表示層は、メイン表示エリアと補助表示エリアとを含み、
前記メイン表示エリアと前記補助表示エリアは、異なる画素分布形態を有する端末スクリーン。
【請求項２】
前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在する、請求項１に記載の端末スクリーン。
【請求項３】
前記ｎは１よりも大きい整数であり、
前記ｎ個のサブ画素シーケンスは目標方向に沿って１個ずつ並べられる、請求項２に記載の端末スクリーン。
【請求項４】
前記目標方向は、縦方向又は横方向である、請求項３に記載の端末スクリーン。
【請求項５】
前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、
前記赤色のサブ画素シーケンス、前記緑色のサブ画素シーケンス及び前記青色のサブ画素シーケンスは、前記目標方向に沿って一つずつ交替に並べられる、請求項３に記載の端末スクリーン。
【請求項６】
前記ｎ個のサブ画素シーケンスのうちの少なくとも一つの前記サブ画素シーケンスに含まれる各前記サブ画素の中心点が同一の直線に位置する、請求項２〜５の何れか一つに記載の端末スクリーン。
【請求項７】
前記ｎ個のサブ画素シーケンスのうちの少なくとも一つの前記サブ画素シーケンスに含まれる各前記サブ画素の中心点が同一の直線に位置しない、請求項２〜５の何れか一つに記載の端末スクリーン。
【請求項８】
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、
前記ｉはｎ以下の正整数であり、前記ｋは正整数である、請求項２〜５の何れか一つに記載の端末スクリーン。
【請求項９】
前記第一直線と前記第二直線の間の距離は、前記メイン表示エリアにおける二つの同色のサブ画素の中心点の間の距離に等しい、請求項８に記載の端末スクリーン。
【請求項１０】
前記補助表示エリアにおけるサブ画素のサイズは、前記メイン表示エリアにおけるサブ画素のサイズよりも大きい、請求項１〜５の何れか一つに記載の端末スクリーン。
【請求項１１】
前記補助表示エリアにおけるサブ画素の長さは前記メイン表示エリアにおけるサブ画素の長さよりも大きく、
及び／又は、
前記補助表示エリアにおけるサブ画素の幅は前記メイン表示エリアにおけるサブ画素の幅よりも大きい、請求項１〜５の何れか一つに記載の端末スクリーン。
【請求項１２】
前記補助表示エリアにおける同色のサブ画素は同一の配線を共有する、請求項１〜５の何れか一つに記載の端末スクリーン。
【請求項１３】
前記補助表示エリアに少なくとも二つのサブエリアが含まれ、それぞれのサブエリアにおける同色のサブ画素が同一の配線を共有する、請求項１〜５の何れか一つに記載の端末スクリーン。
【請求項１４】
前記表示層には、前記メイン表示エリアと前記補助表示エリアの間に介在する過渡的表示エリアが更に含まれ、
前記過渡的表示エリアは、前記メイン表示エリア及び前記補助表示エリアと異なる画素分布形態を有する、請求項１〜５の何れか一つに記載の端末スクリーン。
【請求項１５】
前記メイン表示エリア、前記補助表示エリア及び前記過渡的表示エリアは、それぞれ独立に制御して表示する、請求項１４に記載の端末スクリーン。
【請求項１６】
前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである、請求項１〜５の何れか一つに記載の端末スクリーン。
【請求項１７】
請求項１〜５の何れか一つに記載の端末スクリーンを備え、前記補助表示エリアの下に光学デバイスが設置される、端末。
【請求項１８】
前記光学デバイスは、カメラ、光センサ、接近センサ、光発射機、受光機のうちの少なくとも一つを備える、請求項１７に記載の端末。
【請求項１９】
請求項１〜５の何れか一つに記載の端末スクリーンを制御するための方法であって、
前記メイン表示エリアへ第一同期信号を送信し、及び前記補助表示エリアへ第二同期信号を送信することを含み、前記第一同期信号と前記第二同期信号は、前記メイン表示エリアと前記補助表示エリアに同一の内容を同時に表示するように制御するためである、端末スクリーンの制御方法。
【請求項２０】
前記方法は、更に、
前記メイン表示エリアにおける表示すべき内容の原色のコンポーネント、及び前記補助表示エリアにおける表示すべき内容の原色のコンポーネントを取得し、
前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得し、
前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信することを含む、請求項１９に記載の方法。
【請求項２１】
前記方法は、更に、
前記メイン表示エリアと前記補助表示エリアにおける表示すべき内容に基づいて、前記メイン表示エリアと前記補助表示エリアの間の過渡的表示エリアの表示パラメータを確定し、
前記過渡的表示エリアへ前記表示パラメータを送信し、前記過渡的表示エリアは、前記表示パラメータに基づいて前記過渡的表示エリアの表示を制御することを含む、請求項１９に記載の方法。
【請求項２２】
請求項１〜５の何れか一つに記載の端末スクリーンを制御するように構成されており、
前記メイン表示エリアへ第一同期信号を送信し、前記補助表示エリアへ第二同期信号を送信するように構成される送信モジュールを備え、
前記第一同期信号と前記第二同期信号は、前記メイン表示エリアと前記補助表示エリアに同一の内容を同時に表示するように制御するためである、端末スクリーンの制御装置。
【請求項２３】
前記装置は、更に、
前記メイン表示エリアにおける表示すべき内容の原色のコンポーネント、及び前記補助表示エリアにおける表示すべき内容の原色のコンポーネントを取得するように構成される取得モジュールと、
前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得するように構成される補正モジュールと、を備え、
前記送信モジュールは、更に、前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信するように構成される、請求項２２に記載の装置。
【請求項２４】
前記装置は、更に、
前記メイン表示エリアと前記補助表示エリアにおける表示すべき内容に基づいて、前記メイン表示エリアと前記補助表示エリアの間の過渡的表示エリアの表示パラメータを確定するように構成される確定モジュールを備え、
前記送信モジュールは、更に前記過渡的表示エリアへ前記表示パラメータを送信するように構成され、前記過渡的表示エリアは、前記表示パラメータに基づいて前記過渡的表示エリアの表示を制御する、請求項２２に記載の装置。
【請求項２５】
コンピュータプログラムが記憶されており、
前記コンピュータプログラムがプロセッサにより実行されると、請求項１９に記載の方法のステップを実現する、非揮発的なコンピュータ読取可能な記憶媒体。
【手続補正２】
【補正対象書類名】明細書
【補正対象項目名】００６２
【補正方法】変更
【補正の内容】
【００６２】
理解すべきなのは、前記の通常的な説明及び下記の詳細な説明は、例示的で解釈的なものに過ぎず、本開示を制限するものではない。
本願明細書は、例えば、以下の項目も提供する。
（項目１）
基板及び前記基板の上層に位置する表示層を備え、
前記表示層は、メイン表示エリアと補助表示エリアとを含み、
前記メイン表示エリアと前記補助表示エリアは、異なる画素分布形態を有し、
前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在する、端末スクリーン。
（項目２）
前記ｎは１よりも大きい整数であり、
前記ｎ個のサブ画素シーケンスは目標方向に沿って１個ずつ並べられる、項目１に記載の端末スクリーン。
（項目３）
前記目標方向は、縦方向又は横方向である、項目２に記載の端末スクリーン。
（項目４）
前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、
前記赤色のサブ画素シーケンス、前記緑色のサブ画素シーケンス及び前記青色のサブ画素シーケンスは、前記目標方向に沿って一つずつ交替に並べられる、項目２に記載の端末スクリーン。
（項目５）
前記ｎ個のサブ画素シーケンスのうちの少なくとも一つの前記サブ画素シーケンスに含まれる各前記サブ画素の中心点が同一の直線に位置する、項目１に記載の端末スクリーン。
（項目６）
前記ｎ個のサブ画素シーケンスのうちの少なくとも一つの前記サブ画素シーケンスに含まれる各前記サブ画素の中心点が同一の直線に位置しない、項目１に記載の端末スクリーン。
（項目７）
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、
前記ｉはｎ以下の正整数であり、前記ｋは正整数である、項目６に記載の端末スクリーン。
（項目８）
前記第一直線と前記第二直線の間の距離は、前記メイン表示エリアにおける二つの同色のサブ画素の中心点の間の距離に等しい、項目７に記載の端末スクリーン。
（項目９）
前記補助表示エリアにおけるサブ画素のサイズは、前記メイン表示エリアにおけるサブ画素のサイズよりも大きい、項目１に記載の端末スクリーン。
（項目１０）
前記補助表示エリアにおけるサブ画素の長さは前記メイン表示エリアにおけるサブ画素の長さよりも大きく、
及び／又は、
前記補助表示エリアにおけるサブ画素の幅は前記メイン表示エリアにおけるサブ画素の幅よりも大きい、項目９に記載の端末スクリーン。
（項目１１）
前記補助表示エリアにおける同色のサブ画素は同一の配線を共有する、項目１に記載の端末スクリーン。
（項目１２）
前記補助表示エリアに少なくとも二つのサブエリアが含まれ、それぞれのサブエリアにおける同色のサブ画素が同一の配線を共有する、項目１に記載の端末スクリーン。
（項目１３）
前記表示層には、前記メイン表示エリアと前記補助表示エリアの間に介在する過渡的表示エリアが更に含まれ、
前記過渡的表示エリアは、前記メイン表示エリア及び前記補助表示エリアと異なる画素分布形態を有する、項目１に記載の端末スクリーン。
（項目１４）
前記メイン表示エリア、前記補助表示エリア及び前記過渡的表示エリアは、それぞれ独立に制御して表示する、項目１３に記載の端末スクリーン。
（項目１５）
前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである、項目１に記載の端末スクリーン。
（項目１６）
基板及び前記基板の上層に位置する表示層を備え、
前記表示層は、メイン表示エリアと補助表示エリアとを含み、
前記補助表示エリアにおけるサブ画素のサイズは、前記メイン表示エリアにおけるサブ画素のサイズよりも大きい、端末スクリーン。
（項目１７）
前記補助表示エリアにおけるサブ画素の長さは前記メイン表示エリアにおけるサブ画素の長さよりも大きく、
及び／又は、
前記補助表示エリアにおけるサブ画素の幅は前記メイン表示エリアにおけるサブ画素の幅よりも大きい、項目１６に記載の端末スクリーン。
（項目１８）
前記補助表示エリアにｎ（ｎが正整数である）個のサブ画素シーケンスが含まれ、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在する、項目１６に記載の端末スクリーン。
（項目１９）
前記ｎは１よりも大きい整数であり、
前記ｎ個のサブ画素シーケンスは、目標方向に沿って１個ずつ並べられる、項目１８に記載の端末スクリーン。
（項目２０）
前記目標方向は縦方向又は横方向である、項目１９に記載の端末スクリーン。
（項目２１）
前記ｎ個のサブ画素シーケンスは、少なくとも一つの赤色のサブ画素シーケンス、少なくとも一つの緑色のサブ画素シーケンス、及び少なくとも一つの青色のサブ画素シーケンスを含み、
前記赤色のサブ画素シーケンス、前記緑色のサブ画素シーケンス及び前記青色のサブ画素シーケンスは、前記目標方向に沿って一つずつ交替に並べられる、項目１９に記載の端末スクリーン。
（項目２２）
前記ｎ個のサブ画素シーケンスのうちの少なくとも一つの前記サブ画素シーケンスに含まれる各前記サブ画素の中心点が同一の直線に位置する、項目１８に記載の端末スクリーン。
（項目２３）
前記ｎ個のサブ画素シーケンスのうちの少なくとも一つの前記サブ画素シーケンスに含まれる各前記サブ画素の中心点が同一の直線に位置しない、項目１８に記載の端末スクリーン。
（項目２４）
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線は平行であり、
前記ｉはｎ以下の正整数であり、前記ｋは正整数である、項目２３に記載の端末スクリーン。
（項目２５）
前記第一直線と前記第二直線の間の距離は、前記メイン表示エリアにおける二つの同色のサブ画素の中心点の間の距離に等しい、項目２４に記載の端末スクリーン。
（項目２６）
前記補助表示エリアにおける同色のサブ画素は同一の配線を共有する、項目１８に記載の端末スクリーン。
（項目２７）
前記補助表示エリアに少なくとも二つのサブエリアが含まれ、それぞれのサブエリアにおける同色のサブ画素が同一の配線を共有する、項目１８に記載の端末スクリーン。
（項目２８）
前記表示層には、前記メイン表示エリアと前記補助表示エリアの間に介在する過渡的表示エリアが更に含まれ、
前記過渡的表示エリアは、前記メイン表示エリア及び前記補助表示エリアと異なる画素分布形態を有する、項目１６に記載の端末スクリーン。
（項目２９）
前記メイン表示エリア、前記補助表示エリア及び前記過渡的表示エリアは、それぞれ独立に制御して表示する、項目２８に記載の端末スクリーン。
（項目３０）
前記メイン表示エリアにおけるサブ画素の並べ方は、Ｄｅｌｔａ配列、Ｐｅｎｔｉｌｅ配列、標準ＲＧＢ配列のうち何れか一つ又は複数の組合わせである、項目１６に記載の端末スクリーン。
（項目３１）
ｎ（ｎが正整数である）個のサブ画素シーケンスを備え、
前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
同一の配線を共有する同色のサブ画素が少なくとも二つが存在するスクリーン構造。
（項目３２）
前記ｎは１よりも大きい整数であり、
前記ｎ個のサブ画素シーケンスは目標方向に沿って１個ずつ並べられる、項目３１に記載のスクリーン構造。
（項目３３）
前記目標方向は、縦方向又は横方向である、項目３２に記載のスクリーン構造。
（項目３４）
前記ｎ個のサブ画素シーケンスには、少なくとも一つの赤色のサブ画素シーケンス、少なくとも一つの緑色のサブ画素シーケンス、及び少なくとも一つの青色のサブ画素シーケンスが含まれており、
前記赤色のサブ画素シーケンス、前記緑色のサブ画素シーケンス及び前記青色のサブ画素シーケンスは、前記目標方向に沿って一つずつ交替に並べられる、項目３２に記載のスクリーン構造。
（項目３５）
前記ｎ個のサブ画素シーケンスのうちの少なくとも一つの前記サブ画素シーケンスに含まれる各前記サブ画素の中心点が同一の直線に位置する、項目３１に記載のスクリーン構造。
（項目３６）
前記ｎ個のサブ画素シーケンスのうちの少なくとも一つの前記サブ画素シーケンスに含まれる各前記サブ画素の中心点が同一の直線に位置しない、項目３１に記載のスクリーン構造。
（項目３７）
前記ｎ個のサブ画素シーケンスのうちのｉ個目のサブ画素シーケンスについて、前記ｉ個目のサブ画素シーケンスに含まれる２ｋ個目のサブ画素の中心点が第一直線に位置し、２ｋ−１個目のサブ画素の中心点が第二直線に位置し、且つ前記第一直線と前記第二直線が平行であり、
前記ｉはｎ以下の正整数であり、前記ｋは正整数である、項目３６に記載のスクリーン構造。
（項目３８）
前記第一直線と前記第二直線の間の距離は、前記メイン表示エリアにおける二つの同色のサブ画素の中心点の間の距離に等しい、項目３７に記載のスクリーン構造。
（項目３９）
前記スクリーン構造における同色のサブ画素は同一の配線を共有する、項目３１に記載のスクリーン構造。
（項目４０）
少なくとも二つのサブエリアが含まれ、それぞれのサブエリアにおける同色のサブ画素が同一の配線を共有する、項目３１に記載のスクリーン構造。
（項目４１）
項目１〜１５の何れか一つに記載の端末スクリーン、又は項目１６〜３０の何れか一つに記載の端末スクリーンを備える端末。
（項目４２）
端末スクリーンを備え、
前記端末スクリーンは、基板及び前記基板の上層に位置する表示層を備え、
前記表示層は、メイン表示エリアと補助表示エリアとを含み、
前記メイン表示エリアと前記補助表示エリアは、異なる画素分布形態を有し、
前記補助表示エリアはｎ（ｎが正整数である）個のサブ画素シーケンスを含み、前記ｎ個のサブ画素シーケンスのうちのそれぞれ一つのサブ画素シーケンスに少なくとも二つのサブ画素が含まれ、且つ何れか一つの前記サブ画素シーケンスに含まれる各前記サブ画素の色が同一であり、
前記補助表示エリアにおいて、同一の配線を共有する同色のサブ画素が少なくとも二つが存在し、
前記補助表示エリアの下に光学デバイスが設置される端末。
（項目４３）
前記光学デバイスは、カメラ、光センサ、接近センサ、光発射機、受光機のうちの少なくとも一つを備える、項目４２に記載の端末。
（項目４４）
端末スクリーンを備え、
前記端末スクリーンは、基板及び前記基板の上層に位置する表示層を備え、
前記表示層は、メイン表示エリアと補助表示エリアとを含み、
前記補助表示エリアにおけるサブ画素のサイズは、前記メイン表示エリアにおけるサブ画素のサイズよりも大きく、
前記補助表示エリアの下に光学デバイスが設置される端末。
（項目４５）
前記光学デバイスは、カメラ、光センサ、接近センサ、光発射機、受光機のうちの少なくとも一つを含む、項目４４に記載の端末。
（項目４６）
項目１〜１５の何れか一つに記載の端末スクリーン、又は項目１６〜３０の何れか一つに記載の端末スクリーンを制御するための方法であって、
前記メイン表示エリアへ第一同期信号を送信し、及び前記補助表示エリアへ第二同期信号を送信することを含み、前記第一同期信号と前記第二同期信号は、前記メイン表示エリアと前記補助表示エリアに同一の内容を同時に表示するように制御するためである、端末スクリーンの制御方法。
（項目４７）
前記方法は、更に、
前記メイン表示エリアにおける表示すべき内容の原色のコンポーネント、及び前記補助表示エリアにおける表示すべき内容の原色のコンポーネントを取得し、
前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得し、
前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信することを含む、項目４６に記載の方法。
（項目４８）
前記方法は、更に、
前記メイン表示エリアと前記補助表示エリアにおける表示すべき内容に基づいて、前記メイン表示エリアと前記補助表示エリアの間の過渡的表示エリアの表示パラメータを確定し、
前記過渡的表示エリアへ前記表示パラメータを送信し、前記過渡的表示エリアは、前記表示パラメータに基づいて前記過渡的表示エリアの表示を制御することを含む、項目４６に記載の方法。
（項目４９）
項目１〜１５の何れか一つに記載の端末スクリーン、又は項目１６〜３０の何れか一つに記載の端末スクリーンを制御するように構成されており、
前記メイン表示エリアへ第一同期信号を送信し、前記補助表示エリアへ第二同期信号を送信するように構成される送信モジュールを備え、
前記第一同期信号と前記第二同期信号は、前記メイン表示エリアと前記補助表示エリアに同一の内容を同時に表示するように制御するためである、端末スクリーンの制御装置。
（項目５０）
前記装置は、更に、
前記メイン表示エリアにおける表示すべき内容の原色のコンポーネント、及び前記補助表示エリアにおける表示すべき内容の原色のコンポーネントを取得するように構成される取得モジュールと、
前記メイン表示エリアと前記補助表示エリアのそれぞれに対してＧａｍｍａ補正を行って前記メイン表示エリアにおける表示すべき内容の補正後の色のコンポーネント、及び前記補助表示エリアにおける表示すべき内容の補正後の色のコンポーネントを取得するように構成される補正モジュールと、を備え、
前記送信モジュールは、更に、前記メイン表示エリアへ前記メイン表示エリアにおける表示すべき内容の補正後の色のコンポーネントを送信し、前記補助表示エリアへ前記補助表示エリアにおける表示すべき内容の補正後の色のコンポーネントを送信するように構成される、項目４９に記載の装置。
（項目５１）
前記装置は、更に、
前記メイン表示エリアと前記補助表示エリアにおける表示すべき内容に基づいて、前記メイン表示エリアと前記補助表示エリアの間の過渡的表示エリアの表示パラメータを確定するように構成される確定モジュールを備え、
前記送信モジュールは、更に前記過渡的表示エリアへ前記表示パラメータを送信するように構成され、前記過渡的表示エリアは、前記表示パラメータに基づいて前記過渡的表示エリアの表示を制御する、項目４９に記載の装置。
（項目５２）
項目１〜１５の何れか一つに記載の端末スクリーン、又は項目１６〜３０の何れか一つに記載の端末スクリーンを備え、
プロセッサと、
前記プロセッサの実行可能な指令を記憶するメモリと、を更に備え、
前記プロセッサは、前記メイン表示エリアへ第一同期信号を送信し、前記補助表示エリアへ第二同期信号を送信するように構成され、前記第一同期信号と前記第二同期信号は、前記メイン表示エリアと前記補助表示エリアに同一の内容を同時に表示するように制御するためである端末。
（項目５３）
コンピュータプログラムが記憶されており、
前記コンピュータプログラムがプロセッサにより実行されると、項目４６〜４８の何れか一つに記載の方法のステップを実現する、非揮発的なコンピュータ読取可能な記憶媒体。
【国際調査報告】
2021503613.tif 000017
2021503613.tif 000018
2021503613.tif 000019
2021503613.tif 000020
2021503613.tif 000021
2021503613.tif 000022